(57)【特許請求の範囲】
【請求項１】
光分配器と、ｎ（ｎは２以上の整数）個の端末と、各々の前記端末に個別に電気的に接続されてかつ前記光分配器に光学的に接続されて、かつこれら電気及び光間の変換を行うｎ個のノードとを具え、各々の前記端末は、当該端末が接続された前記ノードを経由して、データの送受信を行うネットワークシステムであって、
各々の前記ノードは、トークン権を常時巡回させていて、
ある各々の前記端末同士が前記データの送受信を行いたい場合は、
先ず、各々の該端末が接続された前記ノードは、前記トークン権を取得した時にのみ、当該端末間における通信接続に関する通信接続情報を有するトークンパケットを互いに送信し合い、
次に、各々の該ノードは、該トークンパケットの該通信接続情報によって該通信接続が可能であることが確認された後に、各々の該端末をして前記データの送受信を開始させる当該ネットワークシステムにおいて、
前記トークンパケットは、当該トークンパケットの送信先のアドレスと、データの送信元の端末のアドレスと、当該データの送信先の端末のアドレスとを有しており、
各々の前記ノードは、データ送信部、データ受信部、トークン送信部、トークン受信部及び接続処理部を具え、
前記接続処理部は、前記端末、前記トークン送信部及びトークン受信部と接続されて、かつ、前記データ送信部及び前記データ受信部は、それぞれ、前記端末と接続されていて、
各々の前記データ送信部は、当該データ送信部が接続された前記端末より受信された前記データ（電気信号）を、所定のフォーマットの第１送信用データ（電気信号）に変換して送信する第１データ送信部と、該第１データ送信部より受信された前記第１送信用データを、当該ノードに接続された前記端末毎に１つずつ重複せずに予め割り当てられていて、かつ互いに異なる第１〜第ｎチャネルの第２送信用データ（光信号）の何れかに変換した後、外部に送信する第２データ送信部とを具え、
各々の前記データ受信部は、受信先の前記端末に接続された前記データ送信部に対応する前記第１〜第ｎチャネルの何れかを選択することにより、該データ送信部の前記第２データ送信部より送信された前記第２送信用データを受信した後、前記第１送信用データに変換して送信する第１データ受信部と、前記第１データ受信部より受信された前記第１送信用データを、前記データに変換した後、当該データ受信部が接続された前記端末に送信する第２データ受信部とを具え、
各々の前記トークン送信部は、前記通信接続情報に加えて前記トークン権に係るトークン権情報も有する前記トークンパケット（電気信号）を作成して送信する第１トークン送信部と、該第１トークン送信部より受信された前記トークンパケットを、前記第１〜第ｎチャネルと異なる第ｎ＋１チャネルの第１トークンパケット（光信号）に変換した後、外部に送信する第２トークン送信部とを具え、
各々の前記トークン受信部は、前記第ｎ＋１チャネルを利用して、前記第１トークンパケットを外部より受信した後、前記トークンパケットに変換して送信する第１トークン受信部と、該第１トークン受信部より受信された前記トークンパケットから、当該トークン受信部に関連する前記通信接続情報又は前記トークン権情報を選択して、前記接続処理部に送信する第２トークン受信部とを具え、及び
各々の前記接続処理部は、（イ）：前記第２トークン受信部より前記通信接続情報が受信された場合、前記受信先の前記端末との通信接続が可能であるときは、最終的に、当該接続処理部に接続された前記第１データ受信部をして、該受信先の該端末に接続された前記データ送信部に対応する前記第１〜第ｎチャネルの何れかを選択させ、若しくは、（ロ）：前記第２トークン受信部より前記トークン権情報が受信された場合にのみ、前記（イ）の工程を開始し、
前記第１〜第ｎ＋１チャネルを、それぞれ、Ｃｏｄｅ  Ｄｉｖｉｓｉｏｎ  Ｍｕｌｔｉｐｌｅ  Ａｃｃｅｓｓ（以下「ＣＤＭＡ」という。）における符号Ｃ1〜Ｃn+1と定義するとき、
各々の前記第２データ送信部は、当該第２データ送信部に接続された前記第１データ送信部より受信された前記第１送信用データを、当該ノードに接続された前記端末毎に１つずつ重複せずに予め割り当てられていて、かつ互いに異なる符号Ｃ1〜Ｃnの何れかを利用して、第３送信用データ（電気信号）にＣＤＭＡ拡散する第１ＣＤＭＡ拡散装置と、該第１ＣＤＭＡ拡散装置から送信された前記第３送信用データを、前記第２送信用データに変換した後、外部に送信する第１電気→光変換装置とを具え、
各々の前記第１データ受信部は、外部より受信された前記第２送信用データ及び前記第１トークンパケットを、それぞれ、前記第３送信用データ及び第２トークンパケット（電気信号）に変換する第１光電変換装置と、前記受信先の前記端末に接続された前記データ送信部に対応する符号Ｃ1〜Ｃnの何れかを利用して、該データ送信部の前記第２データ送信部より送信された前記第２送信用データに相当する前記第３送信用データを、前記第１送信用データにＣＤＭＡ逆拡散して送信する第１ＣＤＭＡ逆拡散装置とを具え、
各々の前記第２トークン送信部は、当該第２トークン送信部に接続された前記第１トークン送信部より受信された前記トークンパケットを、符号Ｃ1〜Ｃnと異なる符号Ｃn+1を利用して、前記第２トークンパケットにＣＤＭＡ拡散する第２ＣＤＭＡ拡散装置と、該第２ＣＤＭＡ拡散装置から送信された前記第２トークンパケットを、前記第１トークンパケットに変換した後、外部に送信する第２電気→光変換装置とを具え、
各々の前記第１トークン受信部は、外部より受信された前記第２送信用データ及び前記第１トークンパケットを、それぞれ、前記第３送信用データ及び前記第２トークンパケットに変換する第２光電変換装置と、該第２光電変換装置から送信された前記第２トークンパケットを、符号Ｃn+1を利用して、前記トークンパケットにＣＤＭＡ逆拡散して送信する第２ＣＤＭＡ逆拡散装置とを具え、
前記第１電気→光変換装置は、前記第２電気→光変換装置の構成も兼ねている
ことを特徴とするネットワークシステム。
【請求項２】
光分配器と、ｎ（ｎは２以上の整数）個の端末と、各々の前記端末に個別に電気的に接続されてかつ前記光分配器に光学的に接続されて、かつこれら電気及び光間の変換を行うｎ個のノードとを具え、各々の前記端末は、当該端末が接続された前記ノードを経由して、データの送受信を行うネットワークシステムであって、
各々の前記ノードは、トークン権を常時巡回させていて、
ある各々の前記端末同士が前記データの送受信を行いたい場合は、
先ず、各々の該端末が接続された前記ノードは、前記トークン権を取得した時にのみ、当該端末間における通信接続に関する通信接続情報を有するトークンパケットを互いに送信し合い、
次に、各々の該ノードは、該トークンパケットの該通信接続情報によって該通信接続が可能であることが確認された後に、各々の該端末をして前記データの送受信を開始させる当該ネットワークシステムにおいて、
前記トークンパケットは、当該トークンパケットの送信先のアドレスと、データの送信元の端末のアドレスと、当該データの送信先の端末のアドレスとを有しており、
各々の前記ノードは、データ送信部、データ受信部、トークン送信部、トークン受信部及び接続処理部を具え、
前記接続処理部は、前記端末、前記トークン送信部及びトークン受信部と接続されて、かつ、前記データ送信部及び前記データ受信部は、それぞれ、前記端末と接続されていて、
各々の前記データ送信部は、当該データ送信部が接続された前記端末より受信された前記データ（電気信号）を、所定のフォーマットの第１送信用データ（電気信号）に変換して送信する第１データ送信部と、該第１データ送信部より受信された前記第１送信用データを、当該ノードに接続された前記端末毎に１つずつ重複せずに予め割り当てられていて、かつ互いに異なる第１〜第ｎチャネルの第２送信用データ（光信号）の何れかに変換した後、外部に送信する第２データ送信部とを具え、
各々の前記データ受信部は、受信先の前記端末に接続された前記データ送信部に対応する前記第１〜第ｎチャネルの何れかを選択することにより、該データ送信部の前記第２データ送信部より送信された前記第２送信用データを受信した後、前記第１送信用データに変換して送信する第１データ受信部と、前記第１データ受信部より受信された前記第１送信用データを、前記データに変換した後、当該データ受信部が接続された前記端末に送信する第２データ受信部とを具え、
各々の前記トークン送信部は、前記通信接続情報に加えて前記トークン権に係るトークン権情報も有する前記トークンパケット（電気信号）を作成して送信する第１トークン送信部と、該第１トークン送信部より受信された前記トークンパケットを、前記第１〜第ｎチャネルと異なる第ｎ＋１チャネルの第１トークンパケット（光信号）に変換した後、外部に送信する第２トークン送信部とを具え、
各々の前記トークン受信部は、前記第ｎ＋１チャネルを利用して、前記第１トークンパケットを外部より受信した後、前記トークンパケットに変換して送信する第１トークン受信部と、該第１トークン受信部より受信された前記トークンパケットから、当該トークン受信部に関連する前記通信接続情報又は前記トークン権情報を選択して、前記接続処理部に送信する第２トークン受信部とを具え、及び
各々の前記接続処理部は、（イ）：前記第２トークン受信部より前記通信接続情報が受信された場合、前記受信先の前記端末との通信接続が可能であるときは、最終的に、当該接続処理部に接続された前記第１データ受信部をして、該受信先の該端末に接続された前記データ送信部に対応する前記第１〜第ｎチャネルの何れかを選択させ、若しくは、（ロ）：前記第２トークン受信部より前記トークン権情報が受信された場合にのみ、前記（イ）の工程を開始し、
前記第１〜第ｎ＋１チャネルを、それぞれ、Ｃｏｄｅ  Ｄｉｖｉｓｉｏｎ  Ｍｕｌｔｉｐｌｅ  Ａｃｃｅｓｓ（以下「ＣＤＭＡ」という。）における符号Ｃ1〜Ｃn+1と定義するとき、
各々の前記第２データ送信部は、当該第２データ送信部に接続された前記第１データ送信部より受信された前記第１送信用データを、当該ノードに接続された前記端末毎に１つずつ重複せずに予め割り当てられていて、かつ互いに異なる符号Ｃ1〜Ｃnの何れかを利用して、第３送信用データ（電気信号）にＣＤＭＡ拡散する第１ＣＤＭＡ拡散装置と、該第１ＣＤＭＡ拡散装置から送信された前記第３送信用データを、前記第２送信用データに変換した後、外部に送信する第１電気→光変換装置とを具え、
各々の前記第１データ受信部は、外部より受信された前記第２送信用データ及び前記第１トークンパケットを、それぞれ、前記第３送信用データ及び第２トークンパケット（電気信号）に変換する第１光電変換装置と、前記受信先の前記端末に接続された前記データ送信部に対応する符号Ｃ1〜Ｃnの何れかを利用して、該データ送信部の前記第２データ送信部より送信された前記第２送信用データに相当する前記第３送信用データを、前記第１送信用データにＣＤＭＡ逆拡散して送信する第１ＣＤＭＡ逆拡散装置とを具え、
各々の前記第２トークン送信部は、当該第２トークン送信部に接続された前記第１トークン送信部より受信された前記トークンパケットを、符号Ｃ1〜Ｃnと異なる符号Ｃn+1を利用して、前記第２トークンパケットにＣＤＭＡ拡散する第２ＣＤＭＡ拡散装置と、該第２ＣＤＭＡ拡散装置から送信された前記第２トークンパケットを、前記第１トークンパケットに変換した後、外部に送信する第２電気→光変換装置とを具え、
各々の前記第１トークン受信部は、外部より受信された前記第２送信用データ及び前記第１トークンパケットを、それぞれ、前記第３送信用データ及び前記第２トークンパケットに変換する第２光電変換装置と、該第２光電変換装置から送信された前記第２トークンパケットを、符号Ｃn+1を利用して、前記トークンパケットにＣＤＭＡ逆拡散して送信する第２ＣＤＭＡ逆拡散装置とを具え、
前記第１光電変換装置は、前記第２光電変換装置の構成も兼ねている
ことを特徴とするネットワークシステム。
【発明の詳細な説明】
【０００１】
【発明の属する技術分野】
この発明は、ネットワークシステム、特に、トークンパケットを利用したネットワークシステムに関する。
【０００２】
【従来の技術】
従来、光通信の分野において、トークンパッシングを利用したネットワークシステムがある（例えば、文献：「電子情報通信ハンドブック、電子情報通信学会編、オーム社、ｐｐ．８８６」参照）。トークンパッシングとは、端末が接続されたノードをリング状に接続し、トークン権と呼ばれる特殊データを、当該ノード間で巡回させる通信方法である。各ノードは、トークン権を取得した時のみ、当該ノードに接続された前記端末からのデータを、光を媒体として、受信先の端末に送信させることができる。
【０００３】
【発明が解決しようとする課題】
しかしながら、各端末は、当該端末が接続されたノードがトークン権を取得した時以外、データの送信を行うことができない。よって、データの転送効率が向上しない。
【０００４】
そこで、データの転送効率を向上させるネットワークシステムの出現が求められていた。
【０００５】
【課題を解決するための手段】
この目的を達成する為に、この発明のネットワークシステムは、光分配器と、ｎ（ｎは２以上の整数）個の端末と、各端末に個別に電気的に接続されてかつ光分配器に光学的に接続されて、かつこれら電気及び光間の変換を行うｎ個のノードとを具える。各端末は、当該端末が接続されたノードを経由して、データの送受信を行う。
【０００６】
各ノードは、トークン権を常時巡回させている。
【０００７】
ある各端末同士がデータの送受信を行いたい場合は、先ず、各端末が接続されたノードは、トークン権を取得した時にのみ、当該端末間における通信接続に関する通信接続情報を有するトークンパケットを互いに送信し合う。次に、各ノードは、このトークンパケットの通信接続情報によって通信接続が可能であることが確認した後に、各端末をしてデータの送受信を開始させる。
【０００８】
このような構成によれば、各端末は、受信先の端末との通信接続が完了した後に、トークン権の取得の有無とは無関係に、受信先の端末と常時データ通信することができる。よって、当該ネットワークシステムにおけるデータの転送効率は、向上する。
【０００９】
この発明の実施に当たり、好ましくは、各ノードは、データ送信部、データ受信部、トークン送信部、トークン受信部及び接続処理部を具えるのが良い。
【００１０】
ここで、トークンパケットは、当該トークンパケットの送信先のアドレスと、データの送信元の端末のアドレスと、当該データの送信先の端末のアドレスとを有している。接続処理部は、端末、トークン送信部及びトークン受信部と接続されている。又、データ送信部及びデータ受信部は、それぞれ、端末と接続されている。
【００１１】
各データ送信部は、第１送信用データ及び第２データ送信部を具える。第１データ送信部は、当該データ送信部が接続された端末より受信されたデータ（電気信号）を、所定のフォーマットの第１送信用データ（電気信号）に変換して送信する。第２データ送信部は、第１データ送信部より受信された第１送信用データを、当該データ送信部毎に予め割り当てられていて、かつ互いに異なる第１〜第ｎチャネルの第２送信用データ（光信号）の何れかに変換した後、外部に送信する。
【００１２】
各データ受信部は、第１データ受信部及び第２データ受信部を具える。第１データ受信部は、受信先の端末に接続されたデータ送信部に対応する第１〜第ｎチャネルの何れかを選択することにより、このデータ送信部の第２データ送信部より送信された第２送信用データを受信した後、第１送信用データに変換して送信する。第２データ受信部は、第１データ受信部より受信された第１送信用データを、データに変換した後、当該データ受信部が接続された端末に送信する。
【００１３】
各トークン送信部は、第１トークン送信部及び第２トークン送信部を具える。第１トークン送信部は、通信接続情報に加えてトークン権に係るトークン権情報も有するトークンパケット（電気信号）を作成して送信する。第２トークン送信部は、第１トークン送信部より受信されたトークンパケットを、第１〜第ｎチャネルと異なる第ｎ＋１チャネルの第１トークンパケット（光信号）に変換した後、外部に送信する。
【００１４】
各トークン受信部は、第１トークン受信部及び第２トークン受信部を具える。第１トークン受信部は、第ｎ＋１チャネルを利用して、第１トークンパケットを外部より受信した後、トークンパケットに変換して送信する。第２トークン受信部は、第１トークン受信部より受信されたトークンパケットから、当該トークン受信部に関連する通信接続情報又はトークン権情報を選択して、接続処理部に送信する。
【００１５】
各接続処理部は、（イ）：第２トークン受信部より通信接続情報が受信された場合、受信先の端末との通信接続が可能であるときは、最終的に、当該接続処理部に接続された第１データ受信部をして、この受信先の端末に接続されたデータ送信部に対応する第１〜第ｎチャネルの何れかを選択させる。若しくは、各接続処理部は、（ロ）：第２トークン受信部よりトークン権情報が受信された場合にのみ、（イ）の工程を開始する。
【００１６】
このように構成すれば、接続処理部は、トークンパケットを利用して、通信接続が可能であるか否か確認する。次に、接続処理部は、通信接続が可能である場合は、第１データ受信部をして、受信先の端末におけるチャネルを選択させる。これにより、端末は、受信先の端末とのデータの送受信を開始できる。
【００１７】
この発明の実施に当たり、好ましくは、第１〜第ｎ＋１チャネルを、それぞれ、光の波長λ1〜λn+1と定義するのが良い。
【００１８】
各第２データ送信部は、第１電気→光変換装置である。第１電気→光変換装置は、当該第２データ送信部に接続された第１データ送信部より受信された第１送信用データを、当該ノードに接続された端末毎に１つずつ重複せずに予め割り当てられていて、かつ互いに異なる波長λ1〜λnの第２送信用データの何れかに変換した後、外部に送信する。
【００１９】
各第１データ受信部は、可変波長フィルタ及び第１光電変換装置を具える。可変波長フィルタは、受信先の端末に接続されたデータ送信部に対応する波長λ1〜λnの何れかを選択することにより、このデータ送信部の第２データ送信部より送信された第２送信用データを受信する。第１光電変換装置は、可変波長フィルタから送信された第２送信用データを、第１送信用データに変換して送信する。
【００２０】
各第２トークン送信部は、第２電気→光変換装置である。第２電気→光変換装置は、当該第２トークン送信部に接続された第１トークン送信部より受信されたトークンパケットを、波長λ1〜λnと異なる波長λn+1の第１トークンパケットに変換した後、外部に送信する。
【００２１】
各第１トークン受信部は、固定波長フィルタ及び第２光電変換装置を具える。固定波長フィルタは、波長λn+1の第１トークンパケットを外部より受信する。第２光電変換装置は、固定波長フィルタより受信された第１トークンパケットを、トークンパケットに変換して送信する。
【００２２】
このように構成すれば、データ送信部には、チャネルとして、互いに異なる波長λ1〜λnの何れかが、重複せずに与えられる。各端末は、データを、波長λ1〜λnの何れかを利用して、受信先の端末に送信する。又、データ受信部は、受信先の端末に接続されたデータ送信部に与えられた波長λ1〜λnの何れかを選択することによって、このデータ受信部に接続された端末は、受信先の端末からデータを受信することができる。一方、トークンパケットには、チャネルとして、波長λ1〜λnと異なる波長λn+1が与えられるので、トークン受信部によって、データと区別して見分けられることができる。
【００２３】
又、上述の発明の実施に当たり、好ましくは、第１〜第ｎ＋１チャネルを、それぞれ、Ｃｏｄｅ  Ｄｉｖｉｓｉｏｎ  Ｍｕｌｔｉｐｌｅ  Ａｃｃｅｓｓ（以下「ＣＤＭＡ」という。）における符号Ｃ1〜Ｃn+1と定義するのが良い。
【００２４】
各第２データ送信部は、第１ＣＤＭＡ拡散装置及び第１電気→光変換装置を具える。第１ＣＤＭＡ拡散装置は、当該第２データ送信部に接続された第１データ送信部より受信された第１送信用データを、当該ノードに接続された端末毎に１つずつ重複せずに予め割り当てられていて、かつ互いに異なる符号Ｃ1〜Ｃnの何れかを利用して、第３送信用データ（電気信号）にＣＤＭＡ拡散する。第１電気→光変換装置は、この第１ＣＤＭＡ拡散装置から送信された第３送信用データを、第２送信用データに変換した後、外部に送信する。
【００２５】
各第１データ受信部は、第１光電変換装置及び第１ＣＤＭＡ逆拡散装置を具える。第１光電変換装置は、外部より受信された第２送信用データ及び第１トークンパケットを、それぞれ、第３送信用データ及び第２トークンパケット（電気信号）に変換する。第１ＣＤＭＡ逆拡散装置は、受信先の端末に接続されたデータ送信部に対応する符号Ｃ1〜Ｃnの何れかを利用して、このデータ送信部の第２データ送信部より送信された第２送信用データに相当する第３送信用データを、第１送信用データにＣＤＭＡ逆拡散して送信する。
【００２６】
各第２トークン送信部は、第２ＣＤＭＡ拡散装置及び第２電気→光変換装置を具える。第２ＣＤＭＡ拡散装置は、当該第２トークン送信部に接続された第１トークン送信部より受信されたトークンパケットを、符号Ｃ1〜Ｃnと異なる符号Ｃn+1を利用して、第２トークンパケットにＣＤＭＡ拡散する。第２電気→光変換装置は、第２ＣＤＭＡ拡散装置から送信された第２トークンパケットを、第１トークンパケットに変換した後、外部に送信する。
【００２７】
各第１トークン受信部は、第２光電変換装置及び第２ＣＤＭＡ逆拡散装置を具える。第２光電変換装置は、外部より受信された第２送信用データ及び第１トークンパケットを、それぞれ、第３送信用データ及び第２トークンパケットに変換する。第２ＣＤＭＡ逆拡散装置は、第２光電変換装置から送信された第２トークンパケットを、符号Ｃn+1を利用して、トークンパケットにＣＤＭＡ逆拡散して送信する。
【００２８】
このように構成すれば、データ送信部には、チャネルとして、互いに異なる符号Ｃ1〜Ｃnの何れかが、重複せずに与えられる。各端末は、データを、符号Ｃ1〜Ｃnの何れかを利用して、受信先の端末に送信する。又、データ受信部は、受信先の端末に接続されたデータ送信部に与えられた符号Ｃ1〜Ｃnの何れかを選択することによって、このデータ受信部に接続された端末は、受信先の端末からデータを受信することができる。一方、トークンパケットには、チャネルとして、符号Ｃ1〜Ｃnと異なる符号Ｃn+1が与えられるので、トークン受信部によって、データと区別して見分けられることができる。
【００２９】
この発明の実施に当たり、好ましくは、第１電気→光変換装置は、第２電気→光変換装置の構成も兼ねているのが良い。
【００３０】
このように構成すれば、ノードから、第２電気→光変換装置を省くことができる。よって、その分だけ、ノードの小型化及び低コスト化が図れる。
【００３１】
上述の発明の実施に当たり、好ましくは、第１光電変換装置は、第２光電変換装置の構成も兼ねているのが良い。
【００３２】
このように構成すれば、ノードから、第２光電変換装置を省くことができる。よって、その分だけ、ノードの小型化及び低コスト化が図れる。
【００３３】
上述の発明の実施に当たり、好ましくは、第１及び第２電気→光変換装置は、それぞれ、光を出力する光源と、この光源から出力された光を利用して、第２トークンパケットを第１トークンパケットに、かつ、第３送信用データを第２送信用データに変換する強度変調装置とを具えるのが良い。
【００３４】
このように構成すれば、電気信号を光信号に変換することができる。よって、各ノードは、当該ノード間において、各光信号によってデータ及びトークンパケットを送受信することができる。従って、通信速度の高速化が図れる。
【００３５】
上述の発明の実施に当たり、好ましくは、ｎ＝ｎ（ｐ、ｑ）＝ｐ×ｑ（ｐ及びｑは自然数）とし、第１〜第ｎ＋１チャネルを、第（１〜ｐ、１〜ｑ）チャネル及び第ｎ＋１チャネルとし、第（１〜ｐ、１〜ｑ）チャネルを、光の波長λ1〜λpかつＣｏｄｅ  Ｄｉｖｉｓｉｏｎ  Ｍｕｌｔｉｐｌｅ  Ａｃｃｅｓｓ（以下「ＣＤＭＡ」という。）における符号Ｃ1〜Ｃqとし、及び、第ｎ＋１チャネルを、光の波長λp+1とするのが良い。
【００３６】
各第２データ送信部は、ＣＤＭＡ拡散装置及び第１電気→光変換装置を具える。ＣＤＭＡ拡散装置は、当該第２データ送信部に接続された第１データ送信部より受信された第１送信用データを、符号Ｃ1〜Ｃqの何れかを利用して、第３送信用データ（電気信号）にＣＤＭＡ拡散する。第１電気→光変換装置は、ＣＤＭＡ拡散装置から送信された第３送信用データを、波長λ1〜λpの第２送信用データの何れかに変換した後、外部に送信する。
【００３７】
但し、波長及び符号の組は、当該ノードに接続され端末毎に１つずつ重複せずに予め割り当てられていて、かつ互いに異なるものとする。
【００３８】
各第１データ受信部は、可変波長フィルタ、第１光電変換装置及びＣＤＭＡ逆拡散装置を具える。可変波長フィルタは、受信先の端末に接続されたデータ送信部に対応する波長λ1〜λpの何れかを選択することにより、第２送信用データを受信する。第１光電変換装置は、この可変波長フィルタから送信された第２送信用データを、第３送信用データに変換する。ＣＤＭＡ逆拡散装置は、受信先の端末に接続されたデータ送信部に対応する符号Ｃ1〜Ｃqの何れかを利用して、このデータ送信部の第２データ送信部より送信された第２送信用データに相当する第３送信用データを、第１送信用データにＣＤＭＡ逆拡散して送信する。
【００３９】
各第２トークン送信部は、第２電気→光変換装置である。第２電気→光変換装置は、当該第２トークン送信部に接続された第１トークン送信部より受信されたトークンパケットを、波長λ1〜λpと異なる波長λp+1の第１トークンパケットに変換した後、外部に送信する。
【００４０】
各第１トークン受信部は、固定波長フィルタ及び第２光電変換装置を具える。固定波長フィルタは、波長λp+1の第１トークンパケットを外部より受信する。第２光電変換装置は、固定波長フィルタより受信された第１トークンパケットを、トークンパケットに変換して送信する。
【００４１】
このように構成すれば、データ送信部には、チャネルとして、符号Ｃ1〜Ｃqの何れか及び波長λ1〜λpの中の１組が、重複せずにそれぞれ与えられる。各端末は、データを、符号Ｃ1〜Ｃnの何れか、及び波長λ1〜λpの何れかを利用して、受信先の端末に送信する。又、データ受信部は、受信先の端末に接続されたデータ送信部に与えられた符号Ｃ1〜Ｃqの何れか、及び波長λ1〜λpの何れかを選択することによって、このデータ受信部に接続された端末は、受信先の端末からデータを受信することができる。一方、トークンパケットには、チャネルとして、波長λ1〜λpと異なる波長λp+1が与えられるので、トークン受信部によって、データと区別して見分けられることができる。
【００４２】
この発明の実施に当たり、好ましくは、第１及び第２電気→光変換装置は、それぞれ、光を出力する光源と、この光源から出力された光を利用して、トークンパケットを第１トークンパケットに、かつ、第３送信用データを第２送信用データに変換する強度変調装置とを具えるのが良い。
【００４３】
このように構成すれば、電気信号を光信号に変換することができる。よって、各ノードは、当該ノード間において、各光信号によってデータ及びトークンパケットを送受信することができる。従って、通信速度の高速化が図れる。
【００４９】
【発明の実施の形態】
以下、図を参照して、この発明の実施の形態について、説明する。尚、図中、各構成成分の大きさ、形状及び配置関係は、この発明が理解できる程度に概略的に示してあるにすぎず、従って、この発明は、図示例に限定されるものではない。
【００５０】
「１．ネットワークシステム１０の概念的な構成」
先ず、図１を参照して、この発明のネットワークシステム１０の概念的な構成について、説明する。
【００５１】
図１は、この発明のネットワークシステムの概念的な構成を示す図である。但し、図１では、この構成の作用の理解を容易にする為に、実際の物理的な構成に加えて、論理的な構成も図示している。
【００５２】
（１−１  構成）
このネットワークシステム１０は、ｎ（ｎは２以上の整数）個の端末１２、ｎ個のノード１４及びスターカプラ１６を具える。
【００５３】
（１−２  接続関係）
次に、各部間の接続関係について、説明する。
【００５４】
各ノード１４は、各端末１２に個別に接続されている。但し、各端末１２は電気機器であるから、この接続は、電気的に、すなわち電気回線Ｑ１を以って、なされている。
【００５５】
又、各ノード１４は、互いに光学的に接続されている。この構成例では、スターカプラ（光分配器）１６が、各ノード１４間を介していて、かつ、各ノード１４及びスターカプラ１６間は、導波路Ｑ２によって接続されている。
【００５６】
各ノード１４は、これら電気及び光間の変換を行う装置を具える。
【００５７】
又、各ノード１４は、トークン権ＴＫと呼ばれる特殊データを常時巡回させている（従来技術）。図１では、トークン権ＴＫを送信する為の専用の回線が設けられているが、実際には、この回線は物理的に存在しない（但し、論理的に存在する。）。トークン権ＴＫは、後述するように、トークンパケットＴＰ内に含まれるトークン権情報である。
【００５８】
（１−３  動作）
次に、ネットワークシステム１０の動作について、説明する。
【００５９】
各端末１２は、当該端末１２が接続されたノード１４を経由して、データＤＡの送受信を行う。各端末１２同士がデータＤＡの送受信を行いたい場合は、下記の工程に従う。すなわち、
（工程１）：先ず、各端末１２が接続されたノード１４は、トークン権ＴＫを取得した時にのみ、当該端末１２間における通信接続に関する通信接続情報を有するトークンパケットＴＰを互いに送信し合う。
【００６０】
（工程２）：次に、各ノード１４は、このトークンパケットＴＰの通信接続情報によって、この通信接続が可能であることが確認した後に、各端末１２をしてデータＤＡの送受信を開始させる。
【００６１】
（１−４  効果）
このような構成によれば、各端末１２は、受信先の端末１２との通信接続が完了した後に、トークン権ＴＫの取得の有無とは無関係に、受信先の端末１２と常時データ通信することができる。よって、当該ネットワークシステム１０におけるデータＤＡの転送効率は、従来構成と比較して、向上する。
【００６２】
一方、従来構成によれば、上述のように、各端末１２は、当該端末１２が接続されたノード１４がトークン権ＴＫを取得した時のみしか、受信先の端末１２とデータ通信することができなかった。よって、従来構成は、この発明の構成と比較して、データＤＡの転送効率が低い短所を有する。
【００６３】
「２．各実施の形態における端末１２及びノード１４の包括的な構成」
次に、図２を参照して、後述する各実施の形態における端末１２及びノード１４の構成について、説明する。
【００６４】
図２は、各実施の形態における端末及びノードの構成図である。
【００６５】
（２−１  構成）
端末１２は、宛先入力部１８、端末送信部２０及び端末受信部２２を具える。
【００６６】
ノード１４は、データ送信部２４、データ受信部２６、トークン送信部２８、トークン受信部３０及び接続処理部３２を具える。
【００６７】
データ送信部２４は、第１データ送信部３４及び第２データ送信部３６を具える。データ受信部２６は、第１データ受信部３８及び第２データ受信部４０を具える。トークン送信部２８は、第１トークン送信部４２及び第２トークン送信部４４を具える。トークン受信部３０は、第１トークン受信部４６及び第２トークン受信部４８を具える。
【００６８】
又、端末１２及びノード１４は、各部間の接続回線として、下記の第１伝送路Ｄ１〜第１６伝送路Ｄ１６を具える。
【００６９】
（２−２  接続関係）
次に、端末１２及びノード１４に係る接続関係について、説明する。
【００７０】
第１伝送路Ｄ１は、宛先入力部１８及び接続処理部３２間を接続している。第２伝送路Ｄ２は、端末送信部２０及び接続処理部３２間を接続している。第３伝送路Ｄ３は、端末送信部２０及び第１データ送信部３４間を接続している。第４伝送路Ｄ４は、端末受信部２２及び接続処理部３２間を接続している。第５伝送路Ｄ５は、端末受信部２２及び第２データ受信部４０間を接続している。
【００７１】
第１伝送路Ｄ１〜第５伝送路Ｄ５は、それぞれ、図１で示した電気回線Ｑ１を構成している。
【００７２】
第６伝送路Ｄ６は、第１データ送信部３４及び第２データ送信部３６間を接続している。第７伝送路Ｄ７は、第１データ受信部３８及び第２データ受信部４０間を接続している。第８伝送路Ｄ８は、第１トークン送信部４２及び第２トークン送信部４４間を接続している。第９伝送路Ｄ９は、第１トークン受信部４６及び第２トークン受信部４８間を接続している。第１０伝送路Ｄ１０は、接続処理部３２及び第１データ受信部３８間を接続している。第１１伝送路Ｄ１１は、接続処理部３２及び第２トークン受信部４８間を接続している。第１２伝送路Ｄ１２は、接続処理部３２及び第１トークン送信部４２間を接続している。
【００７３】
第１３伝送路Ｄ１３は、第２データ送信部３６、及び図１で示したスターカプラ１６間を接続している。第１４伝送路Ｄ１４は、第１データ受信部３８及びスターカプラ１６間を接続している。第１５伝送路Ｄ１５は、第２トークン送信部４４及びスターカプラ１６間を接続している。第１６伝送路Ｄ１６は、第１トークン受信部４６及びスターカプラ１６間を接続している。
【００７４】
第１３伝送路Ｄ１３〜第１６伝送路Ｄ１６は、それぞれ、図１で示した導波路Ｑ２を構成している。
【００７５】
（２−３  各部の動作）
次に、同じく図２を参照して、端末１２及びノード１４を構成する各部の動作について、説明する。
【００７６】
（２−３−１  宛先入力部１８）
宛先入力部１８は、受信先（相手側）の端末１２の宛先番号Ｋ１（例えば、電話番号又はＦＡＸ番号等）がこれに入力されると、宛先番号Ｋ１を電気信号である宛先番号信号Ｋ２に変換して、第１伝送路Ｄ１を経由して接続処理部３２に送信する。
【００７７】
（２−３−２  端末送信部２０）
端末送信部２０は、接続処理部３２が第２伝送路Ｄ２を経由して送信可能信号Ｋ３をこれに送信すると、送信者（当該端末１２の使用者）から出力された生のデータＫ４（例えば、音声又は画像等）を電気信号であるデータＫ５に変換して、第３伝送路Ｄ３を経由して第１データ送信部３４に送信することを開始する。
【００７８】
若しくは、端末送信部２０は、接続処理部３２が第２伝送路Ｄ２を経由して送信不可能信号Ｋ２０をこれに送信すると、動作しない。
【００７９】
（２−３−３  端末受信部２２）
端末受信部２２は、接続処理部３２が第４伝送路Ｄ４を経由して受信可能信号Ｋ６をこれに送信すると、第２データ受信部４０が第５伝送路Ｄ５を経由してこれに送信した、受信先からのデータＫ７（電気信号）を生のデータＫ２２（例えば、音声又は画像等）に変換して、送信者に出力することを開始する。
【００８０】
若しくは、端末受信部２２は、接続処理部３２が第４伝送路Ｄ４を経由して受信不可能信号Ｋ２１をこれに送信すると、受信先の端末１２との通信接続が不可能である旨を、送信者に送信する。
【００８１】
（２−３−４  データ送信部２４）
データ送信部２４は、上述のように、第１データ送信部３４及び第２データ送信部３６を具える。そこで、データ送信部２４の構成を、第１データ送信部３４及び第２データ送信部３６に分けて、説明する。
【００８２】
（２−３−４−１  第１データ送信部３４）
第１データ送信部３４は、端末送信部２０が第３伝送路Ｄ３を経由してデータＫ５をこれに送信すると、所定のフォーマットの第１送信用データＫ８（電気信号）に変換して、第６伝送路Ｄ６を経由して第２データ送信部３６に送信する。
【００８３】
尚、所定のフォーマットは、例えば、１次変調（例えば、ＰＳＫ変調等）によって変調されたフォーマットを意味する。
【００８４】
（２−３−４−２  第２データ送信部３６）
第２データ送信部３６は、第１データ送信部３４が第６伝送路Ｄ６を経由して第１送信用データＫ８をこれに送信すると、当該ノード１４に接続された端末１２毎に１つずつ重複せずに予め割り当てられいて、かつ互いに異なる第１〜第ｎチャネルの第２送信用データＫ９（光信号）の何れかに変換して、第１３伝送路Ｄ１３を経由して外部（スターカプラ１６）に送信する。
【００８５】
尚、第１〜第ｎチャネルは、互いに異なる種類の信号を識別する為の、当該信号の伝搬形態である。後述のように、第１〜第ｎチャネルは、第１の実施の形態では光の波長を、第２の実施の形態ではＣｏｄｅ  Ｄｉｖｉｓｉｏｎ  Ｍｕｌｔｉｐｌｅ  Ａｃｃｅｓｓ（以下「ＣＤＭＡ」という。）における符号を、第３の実施の形態では光の波長及びＣＤＭＡにおける符号を、それぞれ表す。
【００８６】
（２−３−５  データ受信部２６）
データ受信部２６は、上述のように、第１データ受信部３８及び第２データ受信部４０を具える。そこで、データ受信部２６の構成を、第１データ受信部３８及び第２データ受信部４０に分けて、説明する。
【００８７】
（２−３−５−１  第１データ受信部３８）
第１データ受信部３８は、接続処理部３２が第１０伝送路Ｄ１０を経由して受信先チャネル選択信号Ｋ１０をこれに送信すると、この受信先チャネル選択信号Ｋ１０に含まれるタイプ番号２の通信接続情報Ｋ１９又はタイプ番号４の通信接続情報Ｋ１９（後述の「２−３−８  接続処理部３２」参照）に含まれている送信元アドレスに基づいて、当該受信先の端末１２に対応する第１〜第ｎチャネルの何れかを選択する。
【００８８】
これにより、第１データ受信部３８は、当該受信先の端末１２に接続されたデータ送信部２４の第２データ送信部３６が第１４伝送路Ｄ１４を経由して送信した第２送信用データＫ１１（光信号）を、選択して受信できる。
【００８９】
次に、第１データ受信部３８は、第２送信用データＫ１１を第１送信用データＫ１２（電気信号）に変換して、第７伝送路Ｄ７を経由して第２データ受信部４０に送信する。
【００９０】
（２−３−５−２  第２データ受信部４０）
第２データ受信部４０は、第１データ受信部３８が第７伝送路Ｄ７を経由して第１送信用データＫ１２をこれに送信すると、第１送信用データＫ１２をデータＫ７に変換して、第５伝送路Ｄ５を経由して端末受信部２２に送信する。
【００９１】
（２−３−６  トークン送信部２８）
トークン送信部２８は、上述のように、第１トークン送信部４２及び第２トークン送信部４４を具える。そこで、トークン送信部２８の構成を、第１トークン送信部４２及び第２トークン送信部４４に分けて、説明する。
【００９２】
（２−３−６−１  第１トークン送信部４２）
第１トークン送信部４２は、接続処理部３２が第１２伝送路Ｄ１２を経由してトークンパケット送信命令信号Ｋ１３をこれに送信すると、通信接続情報に加えてトークン権に係るトークン権情報も有するトークンパケットＫ１４を作成して、第８伝送路Ｄ８を経由して第２トークン送信部４４に送信する。
【００９３】
ここで、図３を参照して、トークンパケットＫ１４の種類について、より詳細に説明する。
【００９４】
図３は、第１トークン送信部が予め格納しているトークンパケットの種類を示す図である。図３において、（Ａ）は、トークンパケットＫ１４を構成する各基本ブロックを表す。（Ｂ１）〜（Ｂ４）は、それぞれ、第１トークン送信部４２が作成することができる４種類のトークンパケットＫ１４、すなわち、通信要求パケット、通信可応答パケット、通信不可応答パケット及び応答確認パケットを表す。
【００９５】
各トークンパケットＫ１４は、４つの基本ブロックから構成される。４つの基本ブロックとは、送信元の端末１２のアドレス（以下「送信元アドレス」という。）を格納する送信元アドレスブロック、当該トークンパケットＫ１４を当該端末１２から次に送信すべき（巡回の順番は既定されている）の端末１２のアドレス（以下「シーケンスアドレス」という。）を格納するシーケンスアドレスブロック、４種類のトークンパケットを識別する為のタイプ番号（各パケットＫ１４Ａ〜Ｋ１４Ｄは、それぞれ、１〜４に対応。）の何れか１つを格納するタイプ番号ブロック、及び、受信先の端末１２のアドレス（以下「受信先アドレス」という。）を格納する受信先アドレスブロックである。
【００９６】
第１トークン送信部４２内では、初期状態として、受信先アドレスブロック及びタイプ番号ブロックは空の状態になっていて、送信元アドレスブロックは送信元アドレスを予め格納していて、及び、シーケンスアドレスブロックはシーケンスアドレスを予め格納している。
【００９７】
尚、シーケンスアドレスは、トークン権に係るトークン権情報に対応している。又、受信先アドレス及びタイプ番号は、それぞれ、通信接続情報に対応している。
【００９８】
「２−３−８  接続処理部３２」で後述するように、接続処理部３２は、通信要求型、通信可応答型、通信不可応答型又は応答確認型のトークンパケット送信命令信号Ｋ１３を、第１２伝送路Ｄ１２を経由して第１トークン送信部４２に送信すると、第１トークン送信部４２は、トークンパケット送信命令信号Ｋ１３に含まれる宛先番号信号Ｋ２（若しくは、受信先アドレス）を受信先アドレスブロックに記入し、かつタイプ番号ブロックに１、２、３又は４を記入して、トークンパケットＫ１４を完成させる。
【００９９】
次に、第１トークン送信部４２は、完成されたトークンパケットＫ１４を、第８伝送路Ｄ８を経由して第２トークン送信部４４に送信する。
【０１００】
（２−３−６−２  第２トークン送信部４４）
第２トークン送信部４４は、第１トークン送信部４２がトークンパケットＫ１４を第８伝送路Ｄ８を経由してこれに送信すると、トークンパケットＫ１４（電気信号）を、上述の第１〜第ｎチャネルと異なる第ｎ＋１チャネルの第１トークンパケットＫ１５（光信号）に変換して、第１５伝送路Ｄ１５を経由して外部（スターカプラ１６）に送信する。
【０１０１】
（２−３−７  トークン受信部３０）
トークン受信部３０は、上述のように、第１トークン受信部４６及び第２トークン受信部４８を具える。そこで、トークン受信部３０の構成を、第１トークン受信部４６及び第２トークン受信部４８に分けて、説明する。
【０１０２】
（２−３−７−１  第１トークン受信部４６）
第１トークン受信部４６は、外部（スターカプラ１６）より第１６伝送路Ｄ１６を経由して送信された各信号から、第ｎ＋１チャネルの信号、すなわち、第１トークンパケットＫ１６のみを選択して、トークンパケットＫ１７（電気信号）として、第９伝送路Ｄ９を経由して第２トークン受信部４８に送信する。
【０１０３】
（２−３−７−２  第２トークン受信部４８）
第２トークン受信部４８は、第１トークン受信部４６が第９伝送路Ｄ９を経由してトークンパケットＫ１７をこれに送信すると、下記の▲１▼及び▲２▼の工程をとる。
【０１０４】
▲１▼：このトークンパケットＫ１７の受信先アドレスが当該端末１２のアドレスである時、当該トークン受信部３０に関連する通信接続情報（タイプ番号及び送信元アドレス（ここでは相手側のアドレスに相当。））を選択して、当該タイプ番号及び当該送信元アドレスを含む通信接続情報Ｋ１９として、第１１伝送路Ｄ１１を経由して接続処理部３２に送信する。
【０１０５】
▲２▼：このトークンパケットＫ１７のシーケンスアドレスが当該端末１２のアドレスである時、当該トークン受信部３０に関連するトークン権情報（シーケンスアドレスを含む。）を選択して、当該シーケンスアドレスを含むトークン権情報Ｋ１８として、第１１伝送路Ｄ１１を経由して接続処理部３２に送信する。
【０１０６】
（２−３−８  接続処理部３２）
接続処理部３２は、第２トークン受信部４８が第１１伝送路Ｄ１１を経由してトークン権情報Ｋ１８（シーケンスアドレスを含む。）をこれに送信したとき、下記の工程を行う。
【０１０７】
すなわち、接続処理部３２は、宛先入力部１８が第１伝送路Ｄ１を経由して宛先番号信号Ｋ２をこれに送信している場合は、第１２伝送路Ｄ１２を経由して、通信要求型のトークンパケット送信命令信号Ｋ１３を、第１トークン送信部４２に送信する。このトークンパケット送信命令信号Ｋ１３には、宛先番号信号Ｋ２が含まれている。若しくは、接続処理部３２は、第２トークン受信部４８が第１１伝送路Ｄ１１を経由して通信接続情報Ｋ１９をこれに送信している場合は、当該タイプ番号１〜４の種類に応じて、異なる動作をする。
【０１０８】
（タイプ番号が１の場合）：この通信接続情報Ｋ１９は、受信先の端末１２が当該端末１２に通信接続を要求するメッセージである。
【０１０９】
先ず、接続処理部３２は、この通信接続情報Ｋ１９から送信元アドレスを取り出す。
【０１１０】
次に、接続処理部３２は、当該端末１２が現時点において通信可能状態であるときは、通信可応答型のトークンパケット送信命令信号Ｋ１３を、第１２伝送路Ｄ１２を経由して第１トークン送信部４２に送信する。
【０１１１】
若しくは、接続処理部３２は、当該端末１２が現時点において通信不可能状態（例えば、使用中）であるときは、第１２伝送路Ｄ１２を経由して、通信不可応答型のトークンパケット送信命令信号Ｋ１３を、第１トークン送信部４２に送信する。トークンパケット送信命令信号Ｋ１３には、このタイプ番号１の通信接続情報Ｋ１９に含まれていた送信元アドレスが、受信先アドレスとして含まれている。
【０１１２】
（タイプ番号が２の場合）：この通信接続情報Ｋ１９は、当該端末１２が受信先の端末１２に通信接続を要求した場合における（すなわち、当該端末１２からのタイプ番号１の通信接続情報Ｋ１９に対する）、当該受信先の端末１２から当該端末１２への返答である。
【０１１３】
先ず、接続処理部３２は、この通信接続情報Ｋ１９から送信元アドレスを取り出す。
【０１１４】
次に、接続処理部３２は、第１２伝送路Ｄ１２を経由して、応答確認型のトークンパケット送信命令信号Ｋ１３を、第１トークン送信部４２に送信する。トークンパケット送信命令信号Ｋ１３には、このタイプ番号２の通信接続情報Ｋ１９に含まれていた送信元アドレスが、受信先アドレスとして含まれている。
【０１１５】
又、接続処理部３２は、第１０伝送路Ｄ１０を経由して、受信先チャネル選択信号Ｋ１０（このタイプ番号２の通信接続情報Ｋ１９に含まれていた送信元アドレスを含む。）を、第１データ受信部３８に送信する。
【０１１６】
又、接続処理部３２は、送信可能信号Ｋ３を、第２伝送路Ｄ２を経由して端末送信部２０に送信する。これと共に、接続処理部３２は、受信可能信号Ｋ６を、第４伝送路Ｄ４を経由して端末受信部２２に送信する。
【０１１７】
（タイプ番号が３の場合）：この通信接続情報Ｋ１９は、タイプ番号が２である場合と同様に、当該端末１２が受信先の端末１２に通信接続を要求した場合における、当該受信先の端末１２から当該端末１２への返答である。
【０１１８】
この場合、接続処理部３２は、送信不可能信号Ｋ２０を、第２伝送路Ｄ２を経由して端末送信部２０に送信する。これと共に、接続処理部３２は、受信不可能信号Ｋ２１を、第４伝送路Ｄ４を経由して端末受信部２２に送信する。
【０１１９】
（タイプ番号が４の場合）：この通信接続情報Ｋ１９は、当該端末１２からのタイプ番号２の通信接続情報Ｋ１９に対する、受信先の端末１２から当該端末１２への返答である。
【０１２０】
先ず、接続処理部３２は、この通信接続情報Ｋ１９から送信元アドレスを取り出す。
【０１２１】
次に、接続処理部３２は、第１０伝送路Ｄ１０を経由して、受信先チャネル選択信号Ｋ１０（このタイプ番号４の通信接続情報Ｋ１９に含まれていた送信元アドレスを含む。）を第１データ受信部３８に送信する。
【０１２２】
又、接続処理部３２は、送信可能信号Ｋ３を、第２伝送路Ｄ２を経由して端末送信部２０に送信する。これと共に、接続処理部３２は、受信可能信号Ｋ６を、第４伝送路Ｄ４を経由して端末受信部２２に送信する。
【０１２３】
「３．具体的な実施の形態」
（３−１  ネットワークシステム１０の構成）
以下、図４を参照して、具体的な実施の形態におけるネットワークシステムの概念的構成について、説明する。
【０１２４】
図４は、具体的な実施の形態におけるネットワークシステムの概念的構成図である。
【０１２５】
このネットワークシステム１０では、ｎ＝３とする。すなわち、端末１２の総数を３とし、それぞれ、端末１２Ａ、１２Ｂ及び１２Ｃとする。又、端末１２Ａ、１２Ｂ及び１２Ｃに接続されたノード１４を、それぞれ、ノード１４Ａ、１４Ｂ及び１４Ｃとする。但し、図４において、端末１２Ｃ及びノード１４Ｃを、省略している。
【０１２６】
以下、各実施の形態において、端末１２Ａが端末１２Ｂに通信接続を要求する場合の動作について、説明する。
【０１２７】
尚、端末１２Ａ及びノード１４Ａに係る構成及び信号を示す符号は、図２に示した対応する各部の符号の末尾にＡを付したものである。同様に、端末１２Ｂ及びノード１４Ｂに係る構成及び信号を示す符号は、図２に示した対応する各部の符号の末尾にＢを付したものである。
【０１２８】
又、各実施の形態における特徴的構成は、第２データ送信部３６ｘ（但し、ｘ＝Ａ、Ｂ又はＣ。以下同様。）、第１データ受信部３８ｘ、第２トークン送信部４４ｘ及び第１トークン受信部４６ｘの各構成である。
【０１２９】
（３−２  第１の実施の形態）
第１の実施の形態では、第１〜第４（＝ｎ＋１）チャネルを、それぞれ、光の波長λ1〜λ4と定義する。端末１２Ａ、１２Ｂ及び１２Ｃには、チャネルとして、それぞれ、波長λ1、λ2及びλ3が与えられている。又、トークンパケットＫ１４には、λ4が与えられている。
【０１３０】
（３−２−１  構成）
先ず、図５を参照して、第１の実施の形態におけるノード１４ｘの構成について、説明する。
【０１３１】
図５は、第１の実施の形態における端末及びノードの構成図である。但し、図５において、下記の各構成における符号の末尾にあるｘは、省略してある。
【０１３２】
第２データ送信部３６ｘは、第１電気→光変換装置５０ｘである。
【０１３３】
第１データ受信部３８ｘは、可変波長フィルタ５６ｘ、第１光電変換装置５８ｘ、及び、可変波長フィルタ５６ｘ及び第１光電変換装置５８ｘ間を接続している第１７伝送路Ｄ１７ｘを具える。
【０１３４】
第２トークン送信部４４ｘは、第２電気→光変換装置５２ｘである。
【０１３５】
第１トークン受信部４６ｘは、固定波長フィルタ６０ｘ、第２光電変換装置６２ｘ、及び、固定波長フィルタ６０ｘ及び第２光電変換装置６２ｘ間を接続している第１８伝送路Ｄ１８ｘを具える。
【０１３６】
ノード１４ｘは、更に、スターカプラ５４ｘ及びスターカプラ６４ｘを具える。
【０１３７】
（３−２−２  接続関係）
可変波長フィルタ５６ｘは、第１４伝送路Ｄ１４及び第１０伝送路Ｄ１０に接続されている。第１光電変換装置５８ｘは、第７伝送路Ｄ７ｘに接続されている。固定波長フィルタ６０ｘは、第１６伝送路Ｄ１６に接続されている。第２光電変換装置６２ｘは、第９伝送路Ｄ９ｘに接続されている。
【０１３８】
第１３伝送路Ｄ１３ｘ及び第１５伝送路Ｄ１５ｘは、それぞれ、スターカプラ５４ｘで合流している。スターカプラ５４ｘ及びスターカプラ１６間の伝送路は、第１３伝送路Ｄ１３ｘであってかつ第１５伝送路Ｄ１５ｘでもあるが、ここでは、統一して第１３伝送路Ｄ１３ｘと称する。
【０１３９】
第１４伝送路Ｄ１４ｘ及び第１６伝送路Ｄ１６ｘは、それぞれ、スターカプラ６４ｘから分流している。スターカプラ６４ｘ及びスターカプラ１６間の伝送路は、第１４伝送路Ｄ１４ｘであってかつ第１６伝送路Ｄ１６ｘでもあるが、ここでは、統一して第１４伝送路Ｄ１４ｘと称する。
【０１４０】
（３−２−３  各部の動作）
各部の動作について、順次説明する。
【０１４１】
（３−２−３−１  第１電気→光変換装置５０ｘ）
第１電気→光変換装置５０ｘは、第１データ送信部３４ｘが第６伝送路Ｄ６ｘを経由して第１送信用データＫ８（電気信号）をこれに送信すると、この第１送信用データＫ８を、波長のλx（但し、（Ｘ、λx）＝（Ａ、λ1）、（Ｂ、λ2）又は（Ｃ、λ3））の第２送信用データＫ９（光信号）に電気→光変換して、第１３伝送路Ｄ１３ｘ→スターカプラ５４ｘ→第１３伝送路Ｄ１３ｘを経由して、外部（スターカプラ１６）に送信する。
【０１４２】
（３−２−３−２  第２電気→光変換装置５２ｘ）
第２電気→光変換装置５２ｘは、第１トークン送信部４２ｘが第８伝送路Ｄ８ｘを経由してトークンパケットＫ１４（電気信号）をこれに送信すると、このトークンパケットＫ１４を、波長のλ4の第１トークンパケットＫ１５（光信号）に電気→光変換して、第１５伝送路Ｄ１５ｘ→スターカプラ５４ｘ→第１３伝送路Ｄ１３ｘを経由して、外部（スターカプラ１６）に送信する。
【０１４３】
（３−２−３−３  可変波長フィルタ５６ｘ）
可変波長フィルタ５６ｘは、接続処理部３２ｘが第１０伝送路Ｄ１０ｘを経由して受信先チャネル選択信号Ｋ１０をこれに送信すると、当該受信先の端末１２ｙに対応する波長λyを選択する（但し、ｘ≠ｙとする。）。
【０１４４】
これにより、可変波長フィルタ５６ｘは、当該受信先の端末１２ｙに接続されたデータ送信部２４ｙの第２データ送信部３６ｙが第１４伝送路Ｄ１４ｘを経由して送信した波長λyの第２送信用データＫ１１（光信号）を選択して受信して、第１７伝送路Ｄ１７ｘを経由して第１光電変換装置５８ｘに送信する。
【０１４５】
（３−２−３−４  第１光電変換装置５８ｘ）
第１光電変換装置５８ｘは、可変波長フィルタ５６ｘが第１７伝送路Ｄ１７ｘを経由して第２送信用データＫ１１をこれに送信すると、この第２送信用データＫ１１を第１送信用データＫ１２（電気信号）に光電変換して、第７伝送路Ｄ７を経由して第２データ受信部４０に送信する。
【０１４６】
（３−２−３−5  固定波長フィルタ６０ｘ）
固定波長フィルタ６０ｘは、外部（スターカプラ１６）より第１４伝送路Ｄ１４ｘ→スターカプラ６４ｘ→第１６伝送路Ｄ１６ｘを経由して送信された各信号から、波長λ4の第１トークンパケットＫ１６のみを選択して、第１８伝送路Ｄ１８ｘを経由して第２光電変換装置６２ｘに送信する。
【０１４７】
（３−２−３−６  第２光電変換装置６２ｘ）
第２光電変換装置６２ｘは、固定波長フィルタ６０ｘが第１８伝送路Ｄ１８ｘを経由して第１トークンパケットＫ１６をこれに送信すると、この第１トークンパケットＫ１６をトークンパケットＫ１７（電気信号）に光電変換して、第９伝送路Ｄ９を経由して第２トークン受信部４８ｘに送信する。
【０１４８】
（３−２−４  端末１２Ａ及び端末１２Ｂ間における通信接続に係る工程）
次に、図４及び図５に加えて、図６〜図１１を参照して、送信元の端末１２Ａが受信先の端末１２Ｂに対して通信をアクセスする場合の工程について、説明する。
【０１４９】
図６〜図１１は、それぞれ、端末１２Ａ及び１２Ｂ間における通信手順を示すフローチャート（１）〜（６）である。
【０１５０】
尚、トークン権を巡回させる順番は、ノード１４Ａ→ノード１４Ｂ→ノード１４Ｃ→ノード１４Ａ→ノード１４Ｂ→ノード１４Ｃ→…とする。すなわち、第１トークン送信部４２Ａが格納しているトークンパケットＫ１４のシーケンスアドレスブロックには、端末１２Ｂのアドレスが予め記入されている。第１トークン送信部４２Ｂが格納しているトークンパケットＫ１４のシーケンスアドレスブロックには、端末１２Ｃのアドレスが予め記入されている。第１トークン送信部４２Ｃが格納しているトークンパケットＫ１４のシーケンスアドレスブロックには、端末１２Ａのアドレスが予め記入されている。
【０１５１】
（３−２−４−１  端末１２Ａ及びノード１４Ａ内における第１段階）
（工程１）：先ず、端末１２Ａの使用者は、端末１２Ａの宛先入力部１８Ａに、端末１２Ｂの宛先番号Ｋ１を入力する（Ｓ１１）。
【０１５２】
（工程２）：次に、宛先入力部１８Ａは、これに入力された宛先番号Ｋ１を、電気信号である宛先番号信号Ｋ２に変換して、第１伝送路Ｄ１Ａを経由して接続処理部３２Ａに送信する（Ｓ１３）。
【０１５３】
（工程３）：次に、接続処理部３２Ａは、宛先入力部１８Ａが第１伝送路Ｄ１Ａを経由して宛先番号信号Ｋ２をこれに送信すると、この宛先番号信号Ｋ２を有したまま、待機状態となる（Ｓ１５）。この宛先番号信号Ｋ２は、当該接続処理部３２Ａが有するメモリ（図示せず。）に一時記憶される。
【０１５４】
（工程４）：次に、接続処理部３２Ａは、第２トークン受信部４８Ａが第１１伝送路Ｄ１１Ａを経由してノード１４Ｃからのトークン権情報Ｋ１８（これに含まれるシーケンスアドレスは、端末１２Ａのアドレスである。）をこれに送信したとき、第１２伝送路Ｄ１２Ａを経由して、通信要求型のトークンパケット送信命令信号Ｋ１３を、第１トークン送信部４２Ａに送信する（Ｓ１７）。このトークンパケット送信命令信号Ｋ１３には、宛先番号信号Ｋ２が含まれている。
【０１５５】
（工程５）：次に、第１トークン送信部４２Ａは、接続処理部３２Ａが第１２伝送路１２Ａを経由して通信要求型のトークンパケット送信命令信号Ｋ１３をこれに送信すると、トークンパケット送信命令信号Ｋ１３に含まれる宛先番号信号Ｋ２（端末１２Ｂのアドレス）を受信先アドレスブロックに記入し、かつタイプ番号ブロックに１を記入して、トークンパケットＫ１４を完成させて、第８伝送路Ｄ８Ａを経由して第２電気→光変換装置５２Ａに送信する（Ｓ１９）。
【０１５６】
尚、送信元アドレスブロックには端末１２Ａのアドレスが、及び、シーケンスアドレスブロックには端末１２Ｂのアドレスが、それぞれ予め記入されている。
【０１５７】
（工程６）： 次に、第２電気→光変換装置５２Ａは、第１トークン送信部４２Ａが第８伝送路Ｄ８Ａを経由してトークンパケットＫ１４（電気信号）をこれに送信すると、このトークンパケットＫ１４を、波長のλ4の第１トークンパケットＫ１５（光信号）に電気→光変換して、第１５伝送路Ｄ１５Ａ→スターカプラ５４Ａ→第１３伝送路Ｄ１３Ａを経由して、外部（スターカプラ１６）に送信する（Ｓ２１）。
【０１５８】
（３−２−４−２  端末１２Ｂ及びノード１４Ｂ内における第２段階）
（工程７）：次に、固定波長フィルタ６０Ｂは、外部（スターカプラ１６）より第１４伝送路Ｄ１４Ｂ→スターカプラ６４Ｂ→第１６伝送路Ｄ１６Ｂを経由して送信された各信号から、波長λ4の第１トークンパケットＫ１６のみを選択して、第１８伝送路Ｄ１８Ｂを経由して第２光電変換装置６２Ｂに送信する（Ｓ２３）。尚、この第１トークンパケットＫ１６は、（工程６）における第１トークンパケットＫ１５に等しいものとする。
【０１５９】
（工程８）：次に、第２光電変換装置６２Ｂは、固定波長フィルタ６０Ｂが第１８伝送路Ｄ１８Ｂを経由して第１トークンパケットＫ１６をこれに送信すると、この第１トークンパケットＫ１６をトークンパケットＫ１７（電気信号）に光電変換して、第９伝送路Ｄ９Ｂを経由して第２トークン受信部４８Ｂに送信する（Ｓ２５）。
【０１６０】
（工程９）：次に、第２トークン受信部４８Ｂは、第１トークン受信部４６が第９伝送路Ｄ９Ｂを経由してトークンパケットＫ１７をこれに送信したら、下記の工程を行う。
【０１６１】
このトークンパケットＫ１７の受信先アドレスは、端末１２Ｂのアドレスであるから、第２トークン受信部４８Ｂは、トークン受信部３０Ｂに関連する通信接続情報（タイプ番号＝１、及び送信元アドレス＝端末１２Ａのアドレス）を選択する。又、このトークンパケットＫ１７のシーケンスアドレスは、端末１２Ｂのアドレスであるから、第２トークン受信部４８Ｂは、トークン受信部３０Ｂに関連するトークン権情報（シーケンスアドレス＝端末１２Ｂのアドレス）を選択する。
【０１６２】
次に、第２トークン受信部４８Ｂは、選択した各情報を、通信接続情報Ｋ１９及びトークン権情報Ｋ１８として、第１１伝送路Ｄ１１Ｂを経由して接続処理部３２Ｂに送信する（Ｓ２７）。
【０１６３】
（工程１０）：次に、接続処理部３２Ｂは、第２トークン受信部４８Ｂが第１１伝送路Ｄ１１Ｂを経由してトークン権情報Ｋ１８をこれに送信したから、下記の工程を行う。
【０１６４】
先ず、接続処理部３２Ｂは、第２トークン受信部４８Ｂが第１１伝送路Ｄ１１を経由して通信接続情報Ｋ１９（タイプ番号＝１、及び送信元アドレス＝端末１２Ａのアドレス）をこれに送信すると、この通信接続情報Ｋ１９から送信元アドレス（＝端末１２Ａのアドレス）を取り出す（Ｓ２９）。
【０１６５】
（工程１１）：接続処理部３２Ｂは、端末１２Ｂが現時点において通信可能状態であるときは、通信可応答型のトークンパケット送信命令信号Ｋ１３を、第１２伝送路Ｄ１２Ｂを経由して第１トークン送信部４２Ｂに送信する（Ｓ３１）。
【０１６６】
若しくは、図１１に示すように、接続処理部３２Ｂは、端末１２Ｂが現時点において通信不可能状態（例えば、使用中）であるときは、第１２伝送路Ｄ１２Ｂを経由して、通信不可応答型のトークンパケット送信命令信号Ｋ１３を、第１トークン送信部４２Ｂに送信する（Ｓ３３）。
【０１６７】
尚、トークンパケット送信命令信号Ｋ１３には、このタイプ番号１の通信接続情報Ｋ１９に含まれていた送信元アドレス（＝端末１２Ａのアドレス）が、受信先アドレスとして含まれている。
【０１６８】
（工程１２）：上記の（Ｓ３１）の後において、第１トークン送信部４２Ｂは、接続処理部３２Ｂが第１２伝送路Ｄ１２Ｂを経由して通信可応答型のトークンパケット送信命令信号Ｋ１３をこれに送信すると、トークンパケット送信命令信号Ｋ１３に含まれる受信先アドレス（端末１２Ａのアドレス）を受信先アドレスブロックに記入し、かつタイプ番号ブロックに２を記入して、トークンパケットＫ１４を完成させて、第８伝送路Ｄ８Ｂを経由して第２電気→光変換装置５２Ｂに送信する（Ｓ３５）。
【０１６９】
若しくは、図１１に示すように、上記の（Ｓ３３）の後において、第１トークン送信部４２Ｂは、接続処理部３２Ｂが第１２伝送路１２Ｂを経由して通信不可応答型のトークンパケット送信命令信号Ｋ１３をこれに送信すると、トークンパケット送信命令信号Ｋ１３に含まれる受信先アドレス（端末１２Ａのアドレス）を受信先アドレスブロックに記入し、かつタイプ番号ブロックに３を記入して、トークンパケットＫ１４を完成させて、第８伝送路Ｄ８Ｂを経由して第２電気→光変換装置５２Ｂに送信する（Ｓ３７）。
【０１７０】
尚、送信元アドレスブロックには端末１２Ｂのアドレスが、及び、シーケンスアドレスブロックには端末１２Ｃのアドレスが、それぞれ予め記入されている。
【０１７１】
（工程１３）：次に、第２電気→光変換装置５２Ｂは、第１トークン送信部４２Ｂが第８伝送路Ｄ８Ｂを経由してトークンパケットＫ１４（電気信号）をこれに送信すると、このトークンパケットＫ１４を、波長のλ4の第１トークンパケットＫ１５（光信号）に電気→光変換して、第１５伝送路Ｄ１５Ｂ→スターカプラ５４Ｂ→第１３伝送路Ｄ１３Ｂを経由して、外部（スターカプラ１６）に送信する（Ｓ３９）。
【０１７２】
（３−２−４−３  端末１２Ａ及びノード１４Ａ内における第３段階）
（工程１４）：次に、固定波長フィルタ６０Ａは、外部（スターカプラ１６）より第１４伝送路Ｄ１４Ａ→スターカプラ６４Ａ→第１６伝送路Ｄ１６Ａを経由して送信された各信号から、波長λ4の第１トークンパケットＫ１６のみを選択して、第１８伝送路Ｄ１８Ａを経由して第２光電変換装置６２Ａに送信する（Ｓ４１）。但し、この第１トークンパケットＫ１６は、（工程１３）における第１トークンパケットＫ１５に等しいものとする。
【０１７３】
（工程１５）：次に、第２光電変換装置６２Ａは、固定波長フィルタ６０Ａが第１８伝送路Ｄ１８Ａを経由して第１トークンパケットＫ１６をこれに送信すると、この第１トークンパケットＫ１６をトークンパケットＫ１７（電気信号）に光電変換して、第９伝送路Ｄ９Ａを経由して第２トークン受信部４８Ａに送信する（Ｓ４３）。
【０１７４】
（工程１６）：次に、第２トークン受信部４８Ａは、第１トークン受信部４６Ａが第９伝送路Ｄ９Ａを経由してトークンパケットＫ１７をこれに送信したら、下記の工程を行う。
【０１７５】
このトークンパケットＫ１７の受信先アドレスは、端末１２Ａのアドレスであるから、第２トークン受信部４８Ａは、トークン受信部３０Ａに関連する通信接続情報（タイプ番号＝２若しくは３、及び送信元アドレス＝端末１２Ｂのアドレス）を選択する。
【０１７６】
次に、第２トークン受信部４８Ａは、選択した通信接続情報を、通信接続情報Ｋ１９として、第１１伝送路Ｄ１１Ａを経由して接続処理部３２Ａに送信する（Ｓ４５）。
【０１７７】
（工程１７）：次に、接続処理部３２Ａは、第２トークン受信部４８Ａが第１１伝送路Ｄ１１Ａを経由してノード１４Ｃからのトークン権情報Ｋ１８（これに含まれるシーケンスアドレスは、端末１２Ａのアドレスである。）をこれに送信したとき、下記の工程を行う。
【０１７８】
（工程１８）：次に、接続処理部３２Ａは、この通信接続情報Ｋ１９から送信元アドレス（＝端末１２Ｂのアドレス）を取り出す。
【０１７９】
（Ｓ４５）における通信接続情報のタイプ番号が２である場合、下記の（工程１９）〜（工程２１）を行う。又、（Ｓ４５）における通信接続情報のタイプ番号が３である場合、下記の（工程２２）を行う。
【０１８０】
（工程１９）：通信接続情報のタイプ番号が２である場合は、接続処理部３２Ａは、第１２伝送路Ｄ１２Ａを経由して、応答確認型のトークンパケット送信命令信号Ｋ１３を、第１トークン送信部４２Ａに送信する（Ｓ４７）。応答確認型のトークンパケット送信命令信号Ｋ１３には、このタイプ番号２の通信接続情報Ｋ１９に含まれていた送信元アドレスが、受信先アドレスとして含まれている。
【０１８１】
（工程２０）：又、接続処理部３２Ａは、第１０伝送路Ｄ１０Ａを経由して、受信先チャネル選択信号Ｋ１０（このタイプ番号２の通信接続情報Ｋ１９に含まれていた送信元アドレスを含む。）を、可変波長フィルタ５６Ａに送信する（Ｓ４９）。
【０１８２】
可変波長フィルタ５６Ａは、接続処理部３２Ａが第１０伝送路Ｄ１０Ａを経由して受信先チャネル選択信号Ｋ１０をこれに送信すると、この受信先チャネル選択信号Ｋ１０に含まれるタイプ番号２の通信接続情報Ｋ１９に含まれている送信元アドレス（端末１２Ｂのアドレス）に基づいて、受信先の端末１２Ｂに対応する波長λ2を選択する（Ｓ５１）。
【０１８３】
これにより、可変波長フィルタ５６Ａは、受信先の端末１２Ｂに接続されたデータ送信部２４Ｂの第２データ送信部３６Ｂが第１４伝送路Ｄ１４Ａを経由して送信した第２送信用データＫ１１（光信号）を、選択して受信できる。
【０１８４】
（工程２１）：又、接続処理部３２Ａは、送信可能信号Ｋ３を、第２伝送路Ｄ２Ａを経由して端末送信部２０Ａに送信する。又、接続処理部３２Ａは、受信可能信号Ｋ６を、第４伝送路Ｄ４Ａを経由して端末受信部２２Ａに送信する（Ｓ５３）。
【０１８５】
（工程２２）：通信接続情報のタイプ番号が３である場合は、図１１に示すように、接続処理部３２Ａは、送信不可能信号Ｋ２０を、第２伝送路Ｄ２Ａを経由して端末送信部２０Ａに送信する。これと共に、接続処理部３２Ａは、受信不可能信号Ｋ２１を、第４伝送路Ｄ４Ａを経由して端末受信部２２Ａに送信する（Ｓ５５）。
【０１８６】
次に、端末送信部２０Ａは、接続処理部３２Ａが第２伝送路Ｄ２Ａを経由して送信不可能信号Ｋ２０をこれに送信すると、動作しない。又、端末受信部２２Ａは、接続処理部３２Ａが第４伝送路Ｄ４Ａを経由して受信不可能信号Ｋ２１をこれに送信すると、受信先の端末１２Ａとの通信接続が不可能である旨を、使用者に送信して伝える（Ｓ５７）。
【０１８７】
これを以って、（Ｓ４５）における通信接続情報のタイプ番号が３である場合における動作は、終了する。
【０１８８】
後述する各工程は、（Ｓ４５）における通信接続情報のタイプ番号が２である場合の工程、すなわち（工程２１（Ｓ５３））の続きである。
【０１８９】
（工程２３）：次に、第１トークン送信部４２Ａは、接続処理部３２Ａが第１２伝送路１２Ａを経由して応答確認型のトークンパケット送信命令信号Ｋ１３をこれに送信すると、トークンパケット送信命令信号Ｋ１３に含まれる受信先アドレス（端末１２Ｂのアドレス）を受信先アドレスブロックに記入し、かつタイプ番号ブロックに４を記入して、トークンパケットＫ１４を完成させて、第８伝送路Ｄ８Ａを経由して第２電気→光変換装置５２Ａに送信する（Ｓ５９）。
【０１９０】
尚、送信元アドレスブロックには端末１２Ａのアドレスが、及び、シーケンスアドレスブロックには端末１２Ｂのアドレスが、それぞれ予め記入されている。
【０１９１】
（工程２４）： 次に、第２電気→光変換装置５２Ａは、第１トークン送信部４２Ａが第８伝送路Ｄ８Ａを経由してトークンパケットＫ１４（電気信号）をこれに送信すると、このトークンパケットＫ１４を、波長のλ4の第１トークンパケットＫ１５（光信号）に電気→光変換して、第１５伝送路Ｄ１５Ａ→スターカプラ５４Ａ→第１３伝送路Ｄ１３Ａを経由して、外部（スターカプラ１６）に送信する（Ｓ６１）。
【０１９２】
（３−２−４−４  端末１２Ｂ及びノード１４Ｂ内における第４段階）
（工程２５）：次に、固定波長フィルタ６０Ｂは、外部（スターカプラ１６）より第１４伝送路Ｄ１４Ｂ→スターカプラ６４Ｂ→第１６伝送路Ｄ１６Ｂを経由して送信された各信号から、波長λ4の第１トークンパケットＫ１６のみを選択して、第１８伝送路Ｄ１８Ｂを経由して第２光電変換装置６２Ｂに送信する（Ｓ６３）。但し、この第１トークンパケットＫ１６は、（工程２４）における第１トークンパケットＫ１５に等しいものとする。
【０１９３】
（工程２６）：次に、第２光電変換装置６２Ｂは、固定波長フィルタ６０Ｂが第１８伝送路Ｄ１８Ｂを経由して第１トークンパケットＫ１６をこれに送信すると、この第１トークンパケットＫ１６をトークンパケットＫ１７（電気信号）に光電変換して、第９伝送路Ｄ９Ｂを経由して第２トークン受信部４８Ｂに送信する（Ｓ６５）。
【０１９４】
（工程２７）：次に、第２トークン受信部４８Ｂは、第１トークン受信部４６Ｂが第９伝送路Ｄ９Ｂを経由してトークンパケットＫ１７をこれに送信したら、下記の工程を行う。
【０１９５】
このトークンパケットＫ１７の受信先アドレスは、端末１２Ｂのアドレスであるから、第２トークン受信部４８Ｂは、トークン受信部３０Ｂに関連する通信接続情報（タイプ番号＝４、及び送信元アドレス＝端末１２Ａのアドレス）を選択する。又、このトークンパケットＫ１７のシーケンスアドレスは、端末１２Ｂのアドレスであるから、第２トークン受信部４８Ｂは、トークン受信部３０Ｂに関連するトークン権情報（シーケンスアドレス＝端末１２Ｂのアドレス）を選択する。
【０１９６】
次に、第２トークン受信部４８Ｂは、選択した各情報を、通信接続情報Ｋ１９及びトークン権情報Ｋ１８として、第１１伝送路Ｄ１１Ｂを経由して接続処理部３２Ｂに送信する（Ｓ６７）。
【０１９７】
（工程２８）：次に、接続処理部３２Ｂは、第２トークン受信部４８Ｂが第１１伝送路Ｄ１１Ｂを経由してトークン権情報Ｋ１８をこれに送信したから、下記の工程を行う。すなわち、接続処理部３２Ｂは、第２トークン受信部４８Ｂが第１１伝送路Ｄ１１を経由して通信接続情報Ｋ１９（タイプ番号＝４、及び送信元アドレス＝端末１２Ａのアドレスを含む。）をこれに送信すると、この通信接続情報Ｋ１９から送信元アドレス（＝端末１２Ａのアドレス）を取り出す（Ｓ６９）。
【０１９８】
（工程２９）：次に、接続処理部３２Ｂは、第１０伝送路Ｄ１０Ｂを経由して、受信先チャネル選択信号Ｋ１０（このタイプ番号４の通信接続情報Ｋ１９に含まれていた送信元アドレス＝端末１２Ａのアドレスを含む。）を、可変波長フィルタ５６Ｂに送信する（Ｓ７１）。
【０１９９】
可変波長フィルタ５６Ｂは、接続処理部３２Ｂが第１０伝送路Ｄ１０Ｂを経由して受信先チャネル選択信号Ｋ１０をこれに送信すると、この受信先チャネル選択信号Ｋ１０に含まれるタイプ番号４の通信接続情報Ｋ１９に含まれている送信元アドレス（端末１２Ａのアドレス）に基づいて、受信先の端末１２Ａに対応する波長λ1を選択する（Ｓ７３）。
【０２００】
これにより、可変波長フィルタ５６Ｂは、端末１２Ａに接続されたデータ送信部２４Ａの第２データ送信部３６Ａが第１４伝送路Ｄ１４Ｂを経由して送信した第２送信用データＫ１１（光信号）を、選択して受信できる。
【０２０１】
（工程３０）：又、接続処理部３２Ｂは、送信可能信号Ｋ３を、第２伝送路Ｄ２Ｂを経由して端末送信部２０Ｂに送信する。又、接続処理部３２Ｂは、受信可能信号Ｋ６を、第４伝送路Ｄ４Ｂを経由して端末受信部２２Ｂに送信する（Ｓ７５）。
【０２０２】
（３−２−４−５  通信接続完了後における第５段階）
以下、通信開始後における各部の動作について、説明する。但し、この節の説明では、符号同順とする。
【０２０３】
（工程３１）：端末送信部２０Ａ及び２０Ｂは、それぞれ、接続処理部３２Ａ及び３２Ｂが第２伝送路Ｄ２Ａ及びＤ２Ｂを経由して送信可能信号Ｋ３をこれに送信すると、端末１２Ａ及び１２Ｂの使用者から出力された生のデータＫ４（例えば、音声又は画像等）を電気信号であるデータＫ５に変換して、第３伝送路Ｄ３Ａ及びＤ３Ｂを経由して第１データ送信部３４Ａ及び３４Ｂに送信することを開始する（Ｓ７７）。
【０２０４】
（工程３２）：第１データ送信部３４Ａ及び３４Ｂは、それぞれ、端末送信部２０Ａ及び２０Ｂがそれぞれ第３伝送路Ｄ３Ａ及びＤ３Ｂを経由してデータＫ５をこれに送信すると、このデータＫ５を所定のフォーマットの第１送信用データＫ８に変換して、第６伝送路Ｄ６Ａ及びＤ６Ｂを経由して第１電気→光変換装置５０Ａ及び５０Ｂに送信する（Ｓ７９）。
【０２０５】
（工程３３）：具体的には、第１電気→光変換装置５０Ａ及び５０Ｂは、それぞれ、第１データ送信部３４Ａ及び３４Ｂが第６伝送路Ｄ６Ａ及びＤ６Ｂを経由して第１送信用データＫ８（電気信号）をこれに送信すると、この第１送信用データＫ８を、波長のλ1及びλ2の第２送信用データＫ９（光信号）に電気→光変換して、第１３伝送路Ｄ１３Ａ及びＤ１３Ｂ→スターカプラ５４Ａ及び５４Ｂ→第１３伝送路Ｄ１３Ａ及びＤ１３Ｂを経由して、外部（スターカプラ１６）に送信する（Ｓ８１）。
【０２０６】
（工程３４）：次に、可変波長フィルタ５６Ａ及び５６Ｂは、それぞれ、接続処理部３２Ａ及び３２Ｂが第１０伝送路Ｄ１０Ａ及びＤ１０Ｂを経由して受信先チャネル選択信号Ｋ１０をこれに送信すると、受信先の端末１２Ｂ及び１２Ａに対応する波長λ2及びλ1を選択する（Ｓ８３）。
【０２０７】
これにより、可変波長フィルタ５６Ａ及び５６Ｂは、それぞれ、受信先の端末１２Ｂ及び１２Ａに接続されたデータ送信部２４Ｂ及び２４Ａの第２データ送信部３６Ｂ及び３６Ａが第１４伝送路Ｄ１４Ａ及びＤ１４Ｂを経由して送信した波長λ2及びλ1の第２送信用データＫ１１（光信号）を、選択して受信できる。
【０２０８】
（工程３５）：次に、第１光電変換装置５８Ａ及び５８Ｂは、それぞれ、可変波長フィルタ５６Ａ及び５６Ｂが第１７伝送路Ｄ１７Ａ及び１７Ｂを経由して第２送信用データＫ１１をこれに送信すると、この第２送信用データＫ１１を第１送信用データＫ１２（電気信号）に光電変換して、第７伝送路Ｄ７Ａ及びＤ７Ｂを経由して第２データ受信部４０Ａ及び４０Ｂに送信する（Ｓ８５）。
【０２０９】
（工程３６）：第２データ受信部４０Ａ及び４０Ｂは、それぞれ、第１光電変換装置５８Ａ及び５８Ｂがそれぞれ第７伝送路Ｄ７Ａ及びＤ７Ｂを経由して第１送信用データＫ１２をこれに送信すると、この第１送信用データＫ１２をデータＫ７に変換して、第５伝送路Ｄ５Ａ及びＤ５Ｂを経由して端末受信部２２Ａ及び２２Ｂに送信する（Ｓ８７）。
【０２１０】
（工程３７）：端末受信部２２Ａ及び２２Ｂは、それぞれ、接続処理部３２Ａ及び３２Ｂが第４伝送路Ｄ４Ａ及びＤ４Ｂを経由して受信可能信号Ｋ６をこれに送信しているから、第２データ受信部４０Ａ及び４０Ｂが第５伝送路Ｄ５Ａ及びＤ５Ｂを経由してこれに送信した、受信先からのデータＫ７（電気信号）を生のデータＫ２２（例えば、音声又は画像等）に変換して、当該使用者に出力することを開始できる（Ｓ８９）。
【０２１１】
（３−２−５  効果）
上述の構成によれば、データ送信部２４には、チャネルとして、互いに異なる波長λ1〜λnの何れかが、重複せずに与えられる。各端末１２は、データＫ５を、波長λ1〜λnの何れかを利用して、受信先の端末１２に送信する。又、データ受信部２６は、受信先の端末１２に接続されたデータ送信部２４に与えられた波長λ1〜λnの何れかを選択することによって、このデータ受信部２６に接続された端末１２は、受信先の端末１２からデータＫ５を受信することができる。一方、トークンパケットＫ１７には、チャネルとして、波長λ1〜λnと異なる波長λn+1が与えられるので、トークン受信部３０によって、データＫ５と区別して見分けられることができる。
【０２１２】
（３−３  第２の実施の形態）
第２の実施の形態では、第１〜第４（＝ｎ＋１）チャネルを、それぞれ、ＣＤＭＡにおける符号Ｃ1〜Ｃ4(=n+1)と定義する（但し、ｘ≠ｙならば、Ｃx≠Ｃyとする。）。端末１２Ａ、１２Ｂ及び１２Ｃには、チャネルとして、それぞれ、符号Ｃ1、Ｃ2及びＣ3が与えられている。又、トークンパケットＫ１４には、Ｃ4が与えられている。一方、第１の実施の形態では、チャネルを波長と定義していた。この点が、第１の実施の形態と異なる。
【０２１３】
（３−３−１  構成）
先ず、図１２を参照して、第２の実施の形態におけるノード１４の構成について、説明する。
【０２１４】
図１２は、第２の実施の形態におけるノードの構成図である。但し、図１２において、下記の各構成における符号の末尾にあるｘは、省略してある。
【０２１５】
第２データ送信部３６ｘは、第１ＣＤＭＡ拡散装置６６ｘ、第１電気→光変換装置６８ｘ、及び、第１ＣＤＭＡ拡散装置６６ｘ及び第１電気→光変換装置６８ｘ間を接続している第１９伝送路Ｄ１９ｘを具える。
【０２１６】
第１データ受信部３８ｘは、第１光電変換装置７０ｘ、第１ＣＤＭＡ逆拡散装置７２ｘ、及び、第１光電変換装置７０ｘ及び第１ＣＤＭＡ逆拡散装置７２ｘ間を接続している第２０伝送路Ｄ２０ｘを具える。
【０２１７】
第２トークン送信部４４ｘは、第２ＣＤＭＡ拡散装置７４ｘ、第２電気→光変換装置、及び、第２ＣＤＭＡ拡散装置７４ｘ及び第２電気→光変換装置間を接続している第２１伝送路Ｄ２１ｘを具える。
【０２１８】
尚、この実施の形態では、第１電気→光変換装置６８ｘは、第２電気→光変換装置を兼ねている。そこで、以下、第１電気→光変換装置６８ｘ及び第２電気→光変換装置をあわせて、改めて、第１電気→光変換装置６８ｘという。
【０２１９】
この第１電気→光変換装置６８ｘは、光源７６ｘ、強度変調装置７８ｘ、及び、光源７６ｘ及び強度変調装置７８ｘ間を接続している第２２伝送路Ｄ２２を具える。
【０２２０】
第１トークン受信部４６ｘは、第２光電変換装置、第２ＣＤＭＡ逆拡散装置８０ｘ、及び、第２光電変換装置及び第１ＣＤＭＡ逆拡散装置８０ｘ間を接続している第２３伝送路Ｄ２３ｘを具える。
【０２２１】
尚、この実施の形態では、第１光電変換装置７０ｘは、第２光電変換装置を兼ねている。そこで、以下、第１光電変換装置７０ｘ及び第２光電変換装置をあわせて、改めて、第１光電変換装置７０ｘという。
【０２２２】
ノード１４ｘは、更に、電気合分流装置８２ｘ及び電気合分流装置８４ｘを具える。
【０２２３】
（３−３−２  接続関係）
第１ＣＤＭＡ拡散装置６６ｘは、第６伝送路Ｄ６ｘに接続されている。第１光電変換装置７０ｘは、第１４伝送路Ｄ１４ｘ（第１６伝送路Ｄ１６ｘでもある。）に接続されている。第１ＣＤＭＡ逆拡散装置７２ｘは、第７伝送路Ｄ７ｘ及び第１０伝送路Ｄ１０ｘに接続されている。第２ＣＤＭＡ拡散装置７４ｘは、第８伝送路Ｄ８ｘに接続されている。強度変調装置７８ｘは、第１９伝送路Ｄ１９ｘ（第２１伝送路Ｄ２１ｘでもある）及び第１３伝送路Ｄ１３ｘ（第１５伝送路Ｄ１５ｘでもある。）に接続されている。
【０２２４】
第１９伝送路Ｄ１９ｘ及び第２１伝送路Ｄ２１ｘは、それぞれ、電気合分流装置８２ｘで合流している。電気合分流装置８２ｘ及び強度変調装置７８ｘ間の伝送路は、第１９伝送路Ｄ１９ｘであってかつ第２１伝送路Ｄ２１ｘでもあるが、ここでは、統一して第１９伝送路Ｄ１９と称する。
【０２２５】
第２０伝送路Ｄ２０ｘ及び第２３伝送路Ｄ２３ｘは、それぞれ、電気合分流装置８４ｘで合流している。電気合分流装置８４ｘ及び第１光電変換装置７０ｘ間の伝送路は、第２０伝送路Ｄ２０ｘであってかつ第２３伝送路Ｄ２３ｘでもあるが、ここでは、統一して第２０伝送路Ｄ２０と称する。
【０２２６】
（３−３−３  各部の動作）
各部の動作について、順次説明する。
【０２２７】
（３−３−３−１  第１ＣＤＭＡ拡散装置６６ｘ）
第１ＣＤＭＡ拡散措置６６ｘは、第１データ送信部３４ｘが第６伝送路Ｄ６ｘを経由して第１送信用データＫ８（電気信号）をこれに送信すると、この第１送信用データＫ８に、符号Ｃx（但し、（Ｘ、Ｃx）＝（Ａ、Ｃ1）、（Ｂ、Ｃ2）又は（Ｃ、Ｃ3））で以ってＣＤＭＡ拡散（すなわち、スペクトラム拡散）して、第３送信用データＫ３０として、第１９伝送路Ｄ１９ｘ→電気合分流装置８２ｘ→第１９伝送路Ｄ１９ｘを経由して、第１電気→光変換装置６８ｘに送信する。
【０２２８】
（３−３−３−２  第２ＣＤＭＡ拡散装置７４ｘ）
第２ＣＤＭＡ拡散装置７４ｘは、第１トークン送信部４２ｘが第８伝送路Ｄ８ｘを経由してトークンパケットＫ１４（電気信号）をこれに送信すると、このトークンパケットＫ１４を、符号Ｃ4で以ってＣＤＭＡ拡散して、第２トークンパケットＫ３１として、第２１伝送路Ｄ２１→電気合分流装置８２ｘ→第１９伝送路Ｄ１９ｘを経由して、第１電気→光変換装置６８ｘに送信する。
【０２２９】
（３−３−３−３  第１電気→光変換装置６８ｘ）
第１電気→光変換装置６８ｘでは、光源７６ｘは、光を第２２伝送路Ｄ２２ｘを経由して強度変調装置７８ｘに常時出力している。
【０２３０】
第１電気→光変換装置６８ｘは、第１ＣＤＭＡ拡散措置６６ｘが第１９伝送路Ｄ１９ｘ→電気合分流装置８２ｘ→第１９伝送路Ｄ１９ｘを経由して第３送信用データＫ３０（電気信号）をこれに送信すると、この第３送信用データＫ３０を第２送信用データＫ９（光信号）に電気→光変換して、第１３伝送路Ｄ１３ｘを経由して、外部（スターカプラ１６）に送信する。
【０２３１】
又、第１電気→光変換装置６８ｘは、第２ＣＤＭＡ拡散措置７４ｘが第２１伝送路Ｄ２１ｘ→電気合分流装置８２ｘ→第１９伝送路Ｄ１９ｘを経由して第２トークンパケットＫ３１（電気信号）をこれに送信すると、この第２トークンパケットＫ３１を第１トークンパケットＫ１５（光信号）に電気→光変換して、第１３伝送路Ｄ１３ｘを経由して、外部（スターカプラ１６）に送信する。
【０２３２】
（３−３−３−４  第１光電変換装置７０ｘ）
第１光電変換装置７０ｘは、外部（スターカプラ１６）からこれに送信された第２送信用データＫ１１及び第１トークンパケットＫ１６を、それぞれ、第３送信用データＫ３２及び第２トークンパケットＫ３３に光電変換して、第２０伝送路Ｄ２０ｘ→電気合分流装置８４ｘ→第２０伝送路Ｄ２０ｘを経由して第１ＣＤＭＡ逆拡散装置７２ｘに、かつ、第２０伝送路Ｄ２０ｘ→電気合分流装置８４ｘ→第２３伝送路Ｄ２３ｘを経由して第２ＣＤＭＡ逆拡散装置８０ｘに、送信する。
【０２３３】
（３−３−３−５  第１ＣＤＭＡ逆拡散装置７２ｘ）
第１ＣＤＭＡ逆拡散装置７２ｘは、接続処理部３２ｘが第１０伝送路Ｄ１０ｘを経由して受信先チャネル選択信号Ｋ１０をこれに送信すると、当該受信先の端末１２ｙに対応する符号Ｃyを選択する（但し、ｘ≠ｙとする。）。
【０２３４】
これにより、第１ＣＤＭＡ逆拡散装置７２ｘは、第１光電変換装置７０ｘから第２０伝送路Ｄ２０ｘ→電気合分流装置８４ｘ→第２０伝送路Ｄ２０ｘを経由してこれに送信された各信号をＣＤＭＡ逆拡散（すなわち、スペクトラム逆拡散）することにより、当該受信先の端末１２ｙに接続されたデータ送信部２４ｙの第２データ送信部３６ｙが第１４伝送路Ｄ１４ｘを経由して送信した符号Ｃyの第３送信用データＫ３２（光信号）を選択して受信し、第１送信用データＫ１２として、第７伝送路Ｄ７ｘを経由して第２データ受信部４０ｘに送信する。
【０２３５】
（３−３−３−６  第２ＣＤＭＡ逆拡散装置８０ｘ）
第２ＣＤＭＡ逆拡散装置８０ｘは、第１光電変換装置７０ｘから第２０伝送路Ｄ２０ｘ→電気合分流装置８４→第２３伝送路Ｄ２３ｘを経由してこれに送信された各信号をＣＤＭＡ逆拡散することにより、符号λ4の第２トークンパケットＫ３３のみを選択して、トークンパケットＫ１７として、第９伝送路Ｄ９ｘを経由して第２トークン受信部４８ｘに送信する。
【０２３６】
（３−３−４  効果）
このように構成すれば、データ送信部２４には、チャネルとして、互いに異なる符号Ｃ1〜Ｃnの何れかが、重複せずに与えられる。各端末１２は、データＫ５を、符号Ｃ1〜Ｃnの何れかを利用して、受信先の端末１２に送信する。又、データ受信部２６は、受信先の端末１２に接続されたデータ送信部２４に与えられた符号Ｃ1〜Ｃnの何れかを選択することによって、このデータ受信部２６に接続された端末１２は、受信先の端末１２からデータＫ５を受信することができる。一方、トークンパケットＫ１７には、チャネルとして、符号Ｃ1〜Ｃnと異なる符号Ｃn+1が与えられるので、トークン受信部３０によって、データＫ５と区別して見分けられることができる。
【０２３７】
又、第１電気→光変換装置６８は、第２電気→光変換装置の構成も兼ねているから、この第２電気→光変換装置を省くことができる。よって、その分だけ、ノード１４の小型化及び低コスト化が図れる。
【０２３８】
同様に、第１光電変換装置７０は、第２光電変換装置の構成も兼ねているから、この第２光電変換装置を省くことができる。よって、その分だけ、ノード１４の小型化及び低コスト化が図れる。
【０２３９】
（３−４  第３の実施の形態）
第３の実施の形態では、第１及び第２の実施の形態を組み合わせている。すなわち、各信号は、波長及びＣＤＭＡにおける符号によって、区分け、伝搬及び選択されている。
【０２４０】
第１及び第２の実施の形態では、端末１２及びノード１４の総数ｎをそれぞれ３個として説明したが（尤も、総数ｎは２以上の整数であればよい。）、ここでは、総数ｎを具体的な値に限定しない。
【０２４１】
ここで、ｎ＝ｎ（ｐ、ｑ）＝ｐ×ｑ（ｐ及びｑは自然数）とする。第１〜第ｎ＋１チャネルを、第（１〜ｐ、１〜ｑ）チャネル及び第ｎ＋１チャネルとする。第（１〜ｐ、１〜ｑ）チャネルを、光の波長λ1〜λpかつＣＤＭＡにおける符号Ｃ1〜Ｃqとする。第ｎ＋１チャネルを、光の波長λp+1とする。
【０２４２】
（３−４−１  構成）
先ず、図１３を参照して、第３の実施の形態におけるノード１４の構成について、説明する。
【０２４３】
図１３は、第３の実施の形態におけるノードの構成図である。但し、図１３において、下記の各構成における符号の末尾にあるｘは、省略してある。
【０２４４】
第２データ送信部３６ｘ（ｘ＝１、２、…、ｎ）は、ＣＤＭＡ拡散装置９０ｘ、第１電気→光変換装置９２ｘ、及び、ＣＤＭＡ拡散装置９０ｘ及び第１電気→光変換装置９２ｘ間を接続している第４０伝送路Ｄ４０ｘを具える。
【０２４５】
第１電気→光変換装置９２ｘ及び第２電気→光変換装置９４ｘは、それぞれ、共通の光源９６ｘ、共通のスターカプラ９８ｘ、及び、光源９６ｘ及びスターカプラ９８ｘ間を接続している第４１伝送路Ｄ４１ｘを具える。
【０２４６】
第１電気→光変換装置９２ｘは、当該第１電気→光変換装置９２ｘの波長帯域の光信号用のバンドパスフィルタ１００ｘ、強度変調装置１０２ｘ、スターカプラ９８及びバンドパスフィルタ１００ｘ間を接続している第４２伝送路Ｄ４２ｘ、及び、バンドパスフィルタ１００ｘ及び強度変調装置１０２ｘ間を接続している第４３伝送路Ｄ４３ｘを具える。
【０２４７】
第２電気→光変換装置９４ｘは、当該第２電気→光変換装置９４ｘの波長帯域の光信号用のバンドパスフィルタ１０４ｘ、強度変調装置１０６ｘ、スターカプラ９８及びバンドパスフィルタ１０４ｘ間を接続している第４４伝送路Ｄ４４ｘ、及び、バンドパスフィルタ１０４ｘ及び強度変調装置１０６ｘ間を接続している第４５伝送路Ｄ４５ｘを具える。
【０２４８】
第１データ受信部３８ｘは、可変波長フィルタ１０８ｘ、第１光電変換装置１１０ｘ、ＣＤＭＡ逆拡散装置１１２ｘ、可変波長フィルタ１０８ｘ及び第１光電変換装置１１０ｘ間を接続している第４６伝送路Ｄ４６ｘ、第１光電変換装置１１０ｘ及びＣＤＭＡ逆拡散装置１１２ｘ間を接続している第４７伝送路Ｄ４７ｘを具える。
【０２４９】
第１トークン受信部４６ｘは、固定波長フィルタ１１４ｘ、第２光電変換装置１１６ｘ、及び、固定波長フィルタ１１４ｘ及び第２光電変換装置１１６ｘ間を接続している第４８伝送路Ｄ４８ｘを具える。
【０２５０】
ノード１４ｘは、更に、スターカプラ１１８ｘ及びスターカプラ１２０ｘを具える。
【０２５１】
（３−４−２  接続関係）
ＣＤＭＡ拡散装置９０ｘは、第６伝送路Ｄ６ｘに接続されている。強度変調装置１０２ｘは、第１３伝送路Ｄ１３ｘに接続されている。強度変調装置１０６ｘは、第８伝送路Ｄ８ｘに接続されている。可変波長フィルタ１０８ｘは、第１０伝送路Ｄ１０及び第１４伝送路Ｄ１４ｘに接続されている。ＣＤＭＡ逆拡散装置１１２ｘは、第７伝送路Ｄ７ｘ及び第１０伝送路Ｄ１０ｘに接続されている。固定波長フィルタ１１４ｘは、第１６伝送路Ｄ１６ｘに接続されている。第２光電変換装置１１６ｘは、第９伝送路Ｄ９ｘに接続されている。
【０２５２】
第１３伝送路Ｄ１３ｘ及び第１５伝送路Ｄ１５ｘは、それぞれ、スターカプラ１１８ｘで合流している。スターカプラ１１８ｘ及びスターカプラ１６間の伝送路は、第１３伝送路Ｄ１３ｘであってかつ第１５伝送路Ｄ１５ｘでもあるが、ここでは、統一して第１３伝送路Ｄ１３ｘと称する。
【０２５３】
第１４伝送路Ｄ１４ｘ及び第１６伝送路Ｄ１６ｘは、それぞれ、スターカプラ１２０ｘから分流している。スターカプラ１２０ｘ及びスターカプラ１６間の伝送路は、第１４伝送路Ｄ１４ｘであってかつ第１６伝送路Ｄ１６ｘでもあるが、ここでは、統一して第１４伝送路Ｄ１４ｘと称する。
【０２５４】
（３−４−３  各部の動作）
各部の動作について、順次説明する。
【０２５５】
（３−４−３−１  ＣＤＭＡ拡散装置９０ｘ）
ＣＤＭＡ拡散措置９０ｘは、第１データ送信部３４ｘが第６伝送路Ｄ６ｘを経由して第１送信用データＫ８（電気信号）をこれに送信すると、この第１送信用データＫ８に、符号Ｃi（ｉ＝１〜ｑの何れか）で以ってＣＤＭＡ拡散（すなわち、スペクトラム拡散）して、第３送信用データＫ４０（電気信号）として、第４０伝送路Ｄ４０ｘを経由して、強度変調装置１０２ｘに送信する。
【０２５６】
但し、波長λj（ｊ＝１〜ｐ）及び符号Ｃi（ｉ＝１〜ｑ）の組は、当該ノード１４に接続され前記端末１２毎に１つずつ重複せずに予め割り当てられていて、かつ互いに異なるものとする。
【０２５７】
（３−４−３−２  光源９６ｘ）
光源９６ｘを、広域帯用の光源とする。
【０２５８】
そこで、図１４を参照して、広域帯の光源９６から出力される光のスペクトル強度等について、説明する。
【０２５９】
図１４は、光源から出力される光のスペクトル強度、及び各ノードの光源に割り当てられる光のスペクトル領域を示すグラフである。縦軸は、スペクトル強度を表す。又、横軸は、光の波長を表す。
【０２６０】
光のスペクトル領域は、ｐ＋１個の領域Ｗ1〜Ｗp+1（それぞれ、λ1〜λp+1に対応。）に分割されていて、領域Ｗp+1をトークンパケットＫ１４用に、残りの領域Ｗ1〜Ｗpの何れか１つを第３送信用データＫ４０用に割り当てる。
【０２６１】
光源９６ｘは、第４１伝送路Ｄ４１ｘを経由して光をスターカプラ９８ｘに出力する。
【０２６２】
（３−４−３−３  スターカプラ９８ｘ）
スターカプラ９８ｘは、光源９６ｘが第４１伝送路Ｄ４１ｘを経由して光をこれに出力すると、この光を、第４２伝送路Ｄ４２ｘ及び第４４伝送路Ｄ４４ｘに分岐して、それぞれ、バンドパスフィルタ１００ｘ及びバンドパスフィルタ１０４ｘに出力する。
【０２６３】
（３−４−３−４  バンドパスフィルタ１００ｘ）
バンドパスフィルタ１００ｘの透過帯域は、予め定められていて、領域Ｗ1〜Ｗpの何れか１つとすればよい。これにより、バンドパスフィルタ１００ｘは、予め定められた波長λ1〜λpの何れか１つの光を、第４３伝送路Ｄ４３ｘを経由して、強度変調装置１０２ｘに常時出力している。
【０２６４】
（３−４−３−５  バンドパスフィルタ１０４ｘ）
バンドパスフィルタ１０４ｘの透過帯域も、予め定められていて、領域Ｗp+1とすればよい。これにより、バンドパスフィルタ１０４ｘは、予め定められた波長λp+1の光を、第４５伝送路Ｄ４５ｘを経由して、強度変調装置１０６ｘに常時出力している。
【０２６５】
（３−４−３−６  強度変調装置１０２ｘ）
強度変調装置１０２ｘは、ＣＤＭＡ拡散装置９０ｘが第４０伝送路Ｄ４０ｘを経由してこれに送信した第３送信用データＫ４０（電気信号）を、バンドパスフィルタ１００ｘが第４３伝送路Ｄ４３ｘを経由してこれに出力した光を利用して、第２送信用データＫ９（光信号）に電気→光変換して、第１３伝送路Ｄ１３ｘ→スターカプラ１１８ｘ→第１３伝送路Ｄ１３ｘを経由して、外部（スターカプラ１６）に送信する。
【０２６６】
（３−４−３−７  強度変調装置１０６ｘ）
強度変調装置１０６ｘは、第１トークン送信部４２が第８伝送路Ｄ８ｘを経由してこれに送信したトークンパケットＫ１４（電気信号）を、バンドパスフィルタ１０４ｘが第４５伝送路Ｄ４５ｘを経由してこれに出力した光を利用して、第１トークンパケットＫ１５（光信号）に電気→光変換して、第１５伝送路Ｄ１５ｘ、スターカプラ１１８ｘ及び第１３伝送路Ｄ１３ｘの順に経由して、外部（スターカプラ１６）に送信する。
【０２６７】
（３−４−３−８  可変波長フィルタ１０８ｘ）
可変波長フィルタ１０８ｘは、接続処理部３２ｘが第１０伝送路Ｄ１０ｘを経由して受信先チャネル選択信号Ｋ１０をこれに送信すると、当該受信先の端末１２ｙに対応する波長λyを選択する（但し、ｘ≠ｙとする。）。
【０２６８】
これにより、可変波長フィルタ１０８ｘは、当該受信先の端末１２ｙに接続されたデータ送信部２４ｙの第２データ送信部３６ｙが第１４伝送路Ｄ１４ｘを経由して送信した波長λyの第２送信用データＫ１１（光信号）を選択して受信して、第４６伝送路Ｄ４６ｘを経由して第１光電変換装置１１０ｘに送信する。
【０２６９】
（３−４−３−９  第１光電変換装置１１０ｘ）
第１光電変換装置１１０ｘは、可変波長フィルタ１０８ｘが第４６伝送路Ｄ４６ｘを経由して第２送信用データＫ１１をこれに送信すると、この第２送信用データＫ１１を第３送信用データＫ４１（電気信号）に光電変換して、第４７伝送路Ｄ４７ｘを経由してＣＤＭＡ逆拡散装置１１２ｘに送信する。
【０２７０】
（３−４−３−１０  ＣＤＭＡ逆拡散装置１１２ｘ）
ＣＤＭＡ逆拡散装置１１２ｘは、接続処理部３２ｘが第１０伝送路Ｄ１０ｘを経由して受信先チャネル選択信号Ｋ１０をこれに送信すると、当該受信先の端末１２ｙに対応する符号Ｃyを選択する（但し、ｘ≠ｙとする。）。
【０２７１】
これにより、ＣＤＭＡ逆拡散装置１１２ｘは、第１光電変換装置１１０ｘから第４７伝送路Ｄ４７ｘを経由してこれに送信された各信号をＣＤＭＡ逆拡散（すなわち、スペクトラム逆拡散）することにより、当該受信先の端末１２ｙに接続されたデータ送信部２４ｙの第２データ送信部３６ｙが第１４伝送路Ｄ１４ｘを経由して送信した符号Ｃyの第３送信用データＫ４１（光信号）を選択して受信して、第１送信用データＫ１２として、第７伝送路Ｄ７ｘを経由して第２データ受信部４０ｘに送信する。
【０２７２】
（３−４−３−１１  固定波長フィルタ１１４ｘ）
固定波長フィルタ１１４ｘは、外部（スターカプラ１６）より第１４伝送路Ｄ１４ｘ→スターカプラ１２０ｘ→第１６伝送路Ｄ１６ｘを経由して送信された各信号から、波長λp+1の第１トークンパケットＫ１６のみを選択して、第４８伝送路Ｄ４８ｘを経由して第２光電変換装置１１６ｘに送信する。
【０２７３】
（３−４−３−１１  第２光電変換装置１１６ｘ）
第２光電変換装置１１６ｘは、固定波長フィルタ１１４ｘが第４８伝送路Ｄ４８ｘを経由して第１トークンパケットＫ１６をこれに送信すると、この第１トークンパケットＫ１６をトークンパケットＫ１７（電気信号）に光電変換して、第９伝送路Ｄ９を経由して第２トークン受信部４８ｘに送信する。
【０２７４】
（３−４−４  効果）
このように構成すれば、データ送信部２４には、チャネルとして、符号Ｃ1〜Ｃqの何れか及び波長λ1〜λpの中の１組が、重複せずにそれぞれ与えられる。各端末１２は、データＫ５を、符号Ｃ1〜Ｃnの何れか、及び波長λ1〜λpの何れかを利用して、受信先の端末１２に送信する。又、データ受信部２６は、受信先の端末１２に接続されたデータ送信部２４に与えられた符号Ｃ1〜Ｃqの何れか、及び波長λ1〜λpの何れかを選択することによって、このデータ受信部２６に接続された端末１２は、受信先の端末１２からデータＫ５を受信することができる。一方、トークンパケットＫ１７には、チャネルとして、波長λ1〜λpと異なる波長λp+1が与えられるので、トークン受信部３０によって、データＫ５と区別して見分けられることができる。
【０２７５】
「４．変形例の説明」
この発明は、上述の実施の形態にのみ限定されるものではなく、設計に応じて種々の変更を加えることができる。
【０２７６】
例えば、シーケンスアドレスブロックに記入されるシーケンスアドレスは、任意である。すなわち、トークン権は、予め定められた任意の順番によって巡回される。
【０２７７】
又、例えば、第２の実施の形態における、ＣＤＭＡ拡散・逆拡散、及び電気・光間の変換を組み合わせた信号の伝搬方法は、トークン権を巡回させるネットワークシステム以外にも適用することができる。
【０２７８】
その一例として、このネットワークシステムは、ｎ（ｎは２以上の整数）個の端末と、各々の端末に個別に電気的に接続されてかつ互いに光学的に接続されて、かつこれら電気及び光間の変換を行うｎ個のノードとを具える。各端末は、当該端末が接続されたノードを経由して、データの送受信を行う。
【０２７９】
各ノードは、下記のデータ送信部及びデータ受信部を具える。
【０２８０】
各データ送信部は、当該データ送信部が接続された端末より受信されたデータ（電気信号）を、第１データ（電気信号）にＣＤＭＡ拡散するＣＤＭＡ拡散装置と、光を出力する光源と、この光源から出力された光を利用して、ＣＤＭＡ拡散装置より受信された第１データを第２データ（光信号）に変換した後、外部に送信する強度変調装置とを具える。
【０２８１】
一方、各データ受信部は、外部より受信された第２データを、第１データに変換する光電変換装置と、この光電変換装置より受信された第１データを、データにＣＤＭＡ逆拡散して、当該データ送信部が接続された端末に送信するＣＤＭＡ逆拡散装置とを具える。
【０２８２】
このように構成すれば、データは、ＣＤＭＡ拡散・逆拡散されるので、当該データの再現性が良い。又、各ノード間において光信号によって送受信されるので、通信速度の高速化が図れる。
【０２８３】
【発明の効果】
上述の説明から明らかなように、この発明のネットワークシステムによれば、各端末は、受信先の端末との通信接続が完了した後に、トークン権の取得の有無とは無関係に、受信先の端末と常時データ通信することができる。よって、当該ネットワークシステムにおけるデータの転送効率は、向上する。
【図面の簡単な説明】
【図１】ネットワークシステムの概念的な構成図である。
【図２】各実施の形態における端末及びノードの構成図である。
【図３】第１トークン送信部内のトークンパケットの種類を示す図である。
【図４】各実施の形態におけるネットワークシステムの概念的な構成図である。
【図５】第１の実施の形態における端末及びノードの構成図である。
【図６】端末１２Ａ及び１２Ｂ間における通信手順のフローチャート（１）である。
【図７】端末１２Ａ及び１２Ｂ間における通信手順のフローチャート（２）である。
【図８】端末１２Ａ及び１２Ｂ間における通信手順のフローチャート（３）である。
【図９】端末１２Ａ及び１２Ｂ間における通信手順のフローチャート（４）である。
【図１０】端末１２Ａ及び１２Ｂ間における通信手順のフローチャート（５）である。
【図１１】端末１２Ａ及び１２Ｂ間における通信手順のフローチャート（６）である。
【図１２】第２の実施の形態における端末及びノードの構成図である。
【図１３】第３の実施の形態における端末及びノードの構成図である。
【図１４】スペクトル強度等を示すグラフである。
【符号の説明】
１０：ネットワークシステム
１２、１２Ａ、１２Ｂ：端末
１４、１４Ａ、１４Ｂ：ノード
１６：スターカプラ
１８、１８Ａ、１８Ｂ：宛先入力部
２０、２０Ａ、２０Ｂ：端末送信部
２２、２２Ａ、２２Ｂ：端末受信部
２４、２４Ａ、２４Ｂ：データ送信部
２６、２６Ａ、２６Ｂ：データ受信部
２８、２８Ａ、２８Ｂ：トークン送信部
３０、３０Ａ、３０Ｂ：トークン受信部
３２、３２Ａ、３２Ｂ：接続処理部
３４、３４Ａ、３４Ｂ：第１データ送信部
３６、３６Ａ、３６Ｂ：第２データ送信部
３８、３８Ａ、３８Ｂ：第１データ受信部
４０、４０Ａ、４０Ｂ：第２データ受信部
４２、４２Ａ、４２Ｂ：第１トークン送信部
４４、４４Ａ、４４Ｂ：第２トークン送信部
４６、４６Ａ、４６Ｂ：第１トークン受信部
４８、４８Ａ、４８Ｂ：第２トークン受信部
５０、６８、９２：第１電気→光変換装置
５２、９４：第２電気→光変換装置
５４、６４、９８、１１８、１２０：スターカプラ
５６、１０８：可変波長フィルタ
５８、７０、１１０：第１光電変換装置
６０、１１４：固定波長フィルタ
６２、１１６：第２光電変換装置
６６：第１ＣＤＭＡ拡散装置
７２：第１ＣＤＭＡ逆拡散装置
７４：第２ＣＤＭＡ拡散装置
７６、９６：光源
７８、１０２、１０６：強度変調装置
８０：第２ＣＤＭＡ逆拡散装置
８２、８４：電気合分流装置
９０：ＣＤＭＡ拡散装置
１００、１０４：バンドパスフィルタ
１１２：ＣＤＭＡ逆拡散装置
Ｄ１〜Ｄ１６、Ｄ１Ａ〜Ｄ１６Ａ、Ｄ１Ｂ〜Ｄ１６Ｂ：第１〜第１６伝送路
Ｄ１７〜Ｄ２３：第１７〜第２３伝送路
Ｄ４０〜Ｄ４８：第４０〜第４８伝送路
ＤＡ：データ
Ｋ１：宛先番号
Ｋ２：宛先番号信号
Ｋ３：送信可能信号
Ｋ４、Ｋ２２：生のデータ
Ｋ５、Ｋ７：データ
Ｋ６：受信可能信号
Ｋ８、Ｋ１２：第１送信用データ
Ｋ９、Ｋ１１：第２送信用データ
Ｋ１０：受信先チャネル選択信号
Ｋ１３：トークンパケット送信命令信号
Ｋ１４、Ｋ１７：トークンパケット
Ｋ１５、Ｋ１６：第１トークンパケット
Ｋ１８：トークン権情報
Ｋ１９：通信接続情報
Ｋ２０：送信不可能信号
Ｋ２１：受信不可能信号
Ｋ３０、Ｋ３２、Ｋ４０、Ｋ４１：第３送信用データ
Ｋ３１、Ｋ３３：第２トークンパケット
ＴＫ：トークン権
ＴＰ：トークンパケット
Ｑ１：電気回線
Ｑ２：導波路
【図１】
0004304821.tif 000002
【図２】
0004304821.tif 000003
【図３】
0004304821.tif 000004
【図４】
0004304821.tif 000005
【図５】
0004304821.tif 000006
【図６】
0004304821.tif 000007
【図７】
0004304821.tif 000008
【図８】
0004304821.tif 000009
【図９】
0004304821.tif 000010
【図１０】
0004304821.tif 000011
【図１１】
0004304821.tif 000012
【図１２】
0004304821.tif 000013
【図１３】
0004304821.tif 000014
【図１４】
0004304821.tif 000015